(57)【特許請求の範囲】
【請求項１】
浴室および外部を連通する排気路に設けられたファンと、
前記浴室の換気時に前記ファンを第一回転数で回転させる換気制御部と、
電力の供給開始時において、前記ファンを第一回転数よりも高い第二回転数で回転させることにより前記排気路の圧力損失値を演算する圧力損失演算部と、
前記圧力損失演算部の演算回数が３回以上のいずれかの回数、並びに停電と次回の停電の間隔、圧力損失値の変化、および停電と停電との間の前記ファンの駆動回数の少なくともいずれか一つが予め定められた条件になった場合に、前記圧力損失演算部による圧力損失値の演算を禁止する禁止部と、
を備える浴室換気装置。
【請求項２】
前記禁止部は、Ｎ−１回目（Ｎ≧２）の電力の供給開始時の圧力損失値の演算結果と、Ｎ回目の電力の供給開始時の圧力損失値の演算結果との差が予め定められた範囲内である場合に、Ｎ＋１回目の電力供給開始時に前記圧力損失演算部による圧力損失値の演算を禁止する、
ことを特徴とする請求項１に記載の浴室換気装置。
【請求項３】
前記禁止部は、１回目の電力供給開始時の圧力損失値の演算結果と、Ｎ回目（Ｎ≧２）の電力供給開始時の圧力損失値の演算結果との差が予め定められた範囲内である場合に、Ｎ＋１回目の電力供給開始時に前記圧力損失演算部による圧力損失値の演算を禁止する、
ことを特徴とする請求項１に記載の浴室換気装置。
【請求項４】
前記禁止部は、１回目の電力供給開始時の圧力損失値の演算結果から、Ｎ回目（Ｎ≧２）の電力供給開始時の圧力損失値の演算結果までの変化率が予め定められた範囲内であった場合に、Ｎ＋１回目の電力供給開始時に前記圧力損失演算部による圧力損失値の演算を禁止する、
ことを特徴とする請求項１に記載の浴室換気装置。
【請求項５】
電力供給の停止を検出する停電検出部と、
前記停電検出部が停電を検出した後に再度電力供給開始されてから、次に前期停電検出部が停電を検出するまでの時間を計時する停電間隔計時部と、
を備え、
前記禁止部は、前記停電間隔計時部で計時した時間が予め定められた時間以下である場合に、電力供給開始時に前記圧力損失演算部による圧力損失値の演算を禁止する、
ことを特徴とする請求項１に記載の浴室換気装置。
【請求項６】
電力供給の停止を検出する停電検出部と、
前記停電検出部が停電を検出した後に再度電力供給開始されてから、次に前記停電検出部が停電を検出するまでの間の、前記ファンの駆動回数をカウントする換気動作回数計数部と、
を備え、
前記禁止部は、前記換気動作回数計数部でカウントした前記ファンの動作回数が予め定められた回数以下である場合に、電力供給開始時に前記圧力損失演算部による圧力損失値の演算を禁止する、
ことを特徴とする請求項１に記載の浴室換気装置。
【請求項７】
前記禁止部は、前記圧力損失演算部の演算回数が予め定められた回数となった場合、電力供給開始時に前記圧力損失演算部による圧力損失値の演算を禁止する、
ことを特徴とする請求項１に記載の浴室換気装置。
【請求項８】
電力供給開始時からの通電時間を計時する通電時間計時部を備え、
前記禁止部は、前記圧力損失演算部の演算回数が予め定められた回数となったときに、前期通電時間計時部が計時した通電時間が予め定められた時間以内であった場合、電力供給開始時に前記圧力損失演算部による圧力損失値の演算を禁止する、
ことを特徴とする請求項１に記載の浴室換気装置。
【請求項９】
電力供給開始時に圧力損失値の演算が禁止された後、電力供給の停止および開始が予め定められた回数行われた場合、前記圧力損失演算部は電力供給開始時に前記圧力損失値を演算する、
ことを特徴とする請求項１乃至請求項８の何れか１項に記載の浴室換気装置。
【請求項１０】
電力供給開始時に圧力損失値の演算が禁止された後、電力供給の時間が予め定められた時間経過した場合、前記圧力損失演算部は電力供給開始時に前記圧力損失値を演算する、
ことを特徴とする請求項１乃至請求項８の何れか１項に記載の浴室換気装置。
【請求項１１】
電力供給開始時に圧力損失値の演算が禁止された後、換気運転の時間が予め定められた時間以上となった場合、前記圧力損失演算部は電力供給開始時に前記圧力損失値を演算する、
ことを特徴とする請求項１乃至請求項８の何れか１項に記載の浴室換気装置。
【請求項１２】
Ｎ−１回目（Ｎ≧２）の圧力損失値の演算結果と、Ｎ回目の圧力損失値の演算結果との差に応じて、電力供給開始時の圧力損失値の演算が禁止された後、次に圧力損失値の演算を行うまでの電力供給の停止および開始回数を変更する、
ことを特徴とする請求項９に記載の浴室換気装置。
【請求項１３】
Ｎ−１回目（Ｎ≧２）の圧力損失値の演算結果と、Ｎ回目の圧力損失値の演算結果との差に応じて、電力供給開始時の圧力損失値の演算が禁止された後、次に圧力損失値の演算を行うまでの通電時間又は換気運転時間を変更する、
ことを特徴とする請求項１０又は請求項１１に記載の浴室換気装置。
【発明の詳細な説明】
【技術分野】
【０００１】
本発明は、浴室換気装置に関する。 
【背景技術】
【０００２】
従来の浴室換気装置では、商用電源投入時の一定時間、デューティ１００％でファンを回転させ排気ダクトの損失抵抗（圧力損失）を自動測定するようになっていた。このような場合、停電が発生した後に電力供給が再度開始される度に損失抵抗（圧力損失）を測定することとなる（例えば、特許文献１参照。）。 
【０００３】
また別の方式として、最初のパワーオンリセット時（商用電源の投入時）にのみ排気ダクトの圧力損失を推定し、運転条件を不揮発性記憶手段に記憶し、次のパワーオンリセット時には圧力損失の推定を行わず、運転条件の記憶を実施しないようにしているものもあった（例えば、特許文献２参照。）。
【先行技術文献】
【特許文献】
【０００４】
【特許文献１】特開２０００−２８１９２号公報
【特許文献２】特開２００３−２７９１０６号公報
【発明の概要】
【発明が解決しようとする課題】
【０００５】
しかしながら、停電が発生した後に電力供給が再度開始される度に圧力損失を測定するようになっていると、例えば商用電源と蓄電池電源との切り替り時に発生する停電（例えば５秒）で圧力損失の測定を毎回行ってしまうこととなり、使用者が意図していない動作が頻繁に行われてしまうため、使用者がうるさいと感じる、あるいは誤動作と勘違いしてしまうという問題があった。
【０００６】
また、最初のパワーオンリセット時にのみ圧力損失を測定し、次のパワーオンリセット時には圧力損失の測定を行わないようになっていると、浴室換気装置を設置して一旦商用電源を投入して試運転を行った後に、追加工事が行われて圧力損失が変化する、あるいは排気ダクトに埃や木の葉などの異物が溜まるなどして圧力損失が変わってしまうと、正しくない圧力損失に基づいて換気ファンの目標回転数を決定し換気運転を行うため、換気風量が目標値と異なってしまい、必要な換気風量が得られなくなるという問題があった。
【０００７】
そこで、本発明は、上記問題を解決するためになされたもので、使用者の意図しない動作が頻繁に行われ、使用者がうるさいと感じる、あるいは誤動作と勘違いしてしまうことを防ぐとともに、途中で圧力損失が変わってしまった場合に、必要な換気風量を得ることが可能な浴室換気装置を提供することを目的の一つとしている。
【課題を解決するための手段】
【０００８】
上記目的を達成するために第１の態様に係わる浴室換気装置は、浴室および外部を連通する排気路に設けられたファンと、前記浴室の換気時に前記ファンを第一回転数で回転させる換気制御部と、電力の供給開始時において、前記ファンを第一回転数よりも高い第二回転数で回転させることにより前記排気路の圧力損失値を演算する圧力損失演算部と、前記圧力損失演算部の演算回数が３回以上のいずれかの回数、並びに停電と次回の停電の間隔、圧力損失値の変化、および停電と停電との間の前記ファンの駆動回数の少なくともいずれか一つが予め定められた条件になった場合に、前記圧力損失演算部による圧力損失値の演算を禁止する禁止部と、を備えることを特徴とする。
【０００９】
この構成によれば、停電が発生した後に電力供給が再び開始されても、予め定められた条件になった場合に圧力損失演算部による演算が禁止されるので、ファンの回転が行われないため、停電が発生して電力供給が再開される度に圧力損失の演算を行うことを防ぐことで、使用者の意図しない動作が頻繁に発生することにより、使用者がうるさいと感じる、あるいは誤動作と勘違いすることを防ぐことが可能となる。また、これと共に、予め定められた条件が成立しない場合には、それ以降の停電後の電力供給開始時にも圧力損失の演算を行うことができるため、浴室換気装置設置後の追加工事により圧力損失が変わったり、排気路の詰まりにより圧力損失が変わっても、変化後の圧力損失を覚え直して換気ファンの目標回転数を変更でき、必要な換気風量を得ることが可能となる。
【００１０】
また第２の態様に係わる浴室換気装置は、前記禁止部は、Ｎ−１回目（Ｎ≧２）の電力の供給開始時の圧力損失値の演算結果と、Ｎ回目の電力の供給開始時の圧力損失値の演算結果との差が予め定められた範囲内である場合に、Ｎ＋１回目の電力供給開始時に前記圧力損失演算部による圧力損失値の演算を禁止する、ことを特徴とする。
【００１１】
この構成によれば、圧力損失の変化がなく安定していることを検出して電力供給開始時の圧力損失の演算を行わないようにできるため、試運転で数回電源の遮断・投入を行うことで圧力損失の演算を行い、以降の停電後の電力供給開始時には不要な圧力損失の演算は行われなくなり、使用者の意図しない動作が頻繁に発生することにより、使用者がうるさいと感じる、あるいは誤動作と勘違いすることを防ぐことが可能となる。また、これと共に、圧力損失が変化している場合には、以降の停電後の電力供給開始時にも圧力損失の演算を行うことができるため、浴室換気装置設置後の追加工事により圧力損失が変わったり、排気路の詰まりにより圧力損失が変わっても、変化後の圧力損失を覚え直して換気ファンの目標回転数を変更でき、必要な換気風量を得ることが可能となる。
【００１２】
また第３の態様に係わる浴室換気装置は、前記禁止部は、１回目の電力供給開始時の圧力損失値の演算結果と、Ｎ回目（Ｎ≧２）の電力供給開始時の圧力損失値の演算結果との差が予め定められた範囲内である場合に、Ｎ＋１回目の電力供給開始時に前記圧力損失演算部による圧力損失値の演算を禁止する、ことを特徴とする。
【００１３】
この構成によれば、圧力損失が設置時から変化せず安定していることを検出して、電力供給開始時の圧力損失の演算を行わないようにできるため、試運転で数回電源の遮断・投入を行うことで圧力損失の演算を行い、以降の停電後の電力供給開始時には不要な圧力損失の演算は行われなくなり、使用者の意図しない動作が頻繁に発生することにより、使用者がうるさいと感じる、あるいは誤動作と勘違することを防ぐことが可能となる。また、これと共に、圧力損失が設置時と異なり変化している場合には、停電後の電力供給開始時にも圧力損失演算の実施を継続することができるため、浴室換気装置設置後の追加工事により圧力損失が変わったり、排気路の詰まりにより圧力損失が変わっても、変化後の圧力損失を覚え直して換気ファンの目標回転数を変更でき、必要な換気風量を得ることが可能となる。
【００１４】
また第４の態様に係わる浴室換気装置は、前記禁止部は、１回目の電力供給開始時の圧力損失値の演算結果から、Ｎ回目（Ｎ≧２）の電力供給開始時の圧力損失値の演算結果までの変化率が予め定められた範囲内であった場合に、Ｎ＋１回目の電力供給開始時に前記圧力損失演算部による圧力損失値の演算を禁止する、ことを特徴とする。
【００１５】
この構成によれば、圧力損失の変化がなく安定していることを検出して電力供給開始時の圧力損失の演算を行わないようにできるため、試運転で数回電源の遮断・投入を行うことで圧力損失の演算を行い、以降の停電後の電力供給開始時には不要な圧力損失の演算は行われなくなり、使用者の意図しない動作が頻繁に発生することにより、使用者がうるさいと感じる、あるいは誤動作と勘違いすることを防ぐことが可能となる。また、これと共に、圧力損失が変化している場合には、以降の停電後の電力供給開始時にも圧力損失の演算を行うことができるため、浴室換気装置設置後の追加工事により圧力損失が変わったり、排気路の詰まりにより圧力損失が変わっても、変化後の圧力損失を覚え直して換気ファンの目標回転数を変更でき、必要な換気風量を得ることが可能となる。
【００１６】
また第５の態様に係わる浴室換気装置は、電力供給の停止を検出する停電検出部と、前記停電検出部が停電を検出した後に再度電力供給開始されてから、次に前期停電検出部が停電を検出するまでの時間を計時する停電間隔計時部と、を備え、前記禁止部は、前記停電間隔計時部で計時した時間が予め定められた時間以下である場合に、電力供給開始時に前記圧力損失演算部による圧力損失値の演算を禁止する、ことを特徴とする。
【００１７】
この構成によれば、商用電源と、太陽光発電などで発電した電力を一時的に蓄える蓄電池との切り替えなど、１日の中で定期的に停電が起こる場合は圧力損失の演算を行わないので、使用者の意図しない動作が頻繁に発生することにより、使用者がうるさいと感じる、あるいは誤動作と勘違いすることを防ぐことが可能となる。また、１年に１回など低い頻度で発生する商用電源の停電時には圧力損失の演算が行われるので、浴室換気装置設置後の追加工事により圧力損失が変わったり、排気路の詰まりにより圧力損失が変わっても、変化後の圧力損失を覚え直して換気ファンの目標回転数を変更でき、必要な換気風量を得ることが可能となる。
【００１８】
また第６の態様に係わる浴室換気装置は、電力供給の停止を検出する停電検出部と、前記停電検出部が停電を検出した後に再度電力供給開始されてから、次に前記停電検出部が停電を検出するまでの間の、前記ファンの駆動回数をカウントする換気動作回数計数部と、を備え、前記禁止部は、前記換気動作回数計数部でカウントした前記ファンの動作回数が予め定められた回数以下である場合に、電力供給開始時に前記圧力損失演算部による圧力損失値の演算を禁止する、ことを特徴とする。
【００１９】
この構成によれば、商用電源と、太陽光発電などで発電した電力を一時的に蓄える蓄電池との切り替えなど、１日の中で定期的に停電が起こる場合は、換気動作回数が少ないため圧力損失の演算を行わないので、使用者の意図しない動作が頻繁に発生することにより、使用者がうるさいと感じる、あるいは誤動作と勘違いすることを防ぐことが可能となる。また、１年に１回など低い頻度で発生する商用電源の停電時には、その間の換気動作回数が多く圧力損失の演算が行われるので、浴室換気装置設置後の追加工事により圧力損失が変わったり、排気路の詰まりにより圧力損失が変わっても、変化後の圧力損失を覚え直して換気ファンの目標回転数を変更でき、必要な換気風量を得ることが可能となる。
【００２０】
また第７の態様に係わる浴室換気装置は、前記禁止部は、前記圧力損失演算部の演算回数が予め定められた回数となった場合、電力供給開始時に前記圧力損失演算部による圧力損失値の演算を禁止する、ことを特徴とする。
【００２１】
この構成によれば、浴室換気装置を設置後に一旦試運転を行った後、追加工事などにより圧力損失が変化したとしても、再度電源を投入することで正しい圧力損失を演算でき、しかもそこで試運転で電力供給の遮断・投入を数回行っておけば、以降の停電後の電力供給開始時には不要な圧力損失の演算は行われなくなり、使用者の意図しない動作が頻繁に発生することにより、使用者がうるさいと感じる、あるいは誤動作と勘違いしたりすることを防ぐことが可能となる。
【００２２】
また第８の態様に係わる浴室換気装置は、電力供給開始時からの通電時間を計時する通電時間計時部を備え、前記禁止部は、前記圧力損失演算部の演算回数が予め定められた回数となったときに、前期通電時間計時部が計時した通電時間が予め定められた時間以内であった場合、電力供給開始時に前記圧力損失演算部による圧力損失値の演算を禁止する、ことを特徴とする。
【００２３】
この構成によれば、浴室換気装置を設置後に一旦試運転を行った後、追加工事などにより圧力損失が変化したとしても、再度電源を投入することで正しい圧力損失を演算でき、しかもそこで試運転で電力供給の遮断・投入を数回行っておけば、短期間に所定回数の圧損演算が行われることで、以降の停電後の電力供給開始時には不要な圧力損失の演算は行われなくなり、使用者の意図しない動作が頻繁に発生することにより、使用者がうるさいと感じる、あるいは誤動作と勘違いしたりすることを防ぐことが可能となる。
【００２４】
また第９の態様に係わる浴室換気装置は、電力供給開始時に圧力損失値の演算が禁止された後、電力供給の停止および開始が予め定められた回数行われた場合、前記圧力損失演算部は電力供給開始時に前記圧力損失値を演算する、ことを特徴とする。
【００２５】
この構成によれば、浴室換気装置を設置し使用を続けている間に、排気路に埃や木の葉などの異物が溜まったりして圧力損失が変わってしまい、一時的に正しくない圧力損失を基に換気運転を行ったとしても、所定の回数換気運転を行えば正しい圧力損失を演算しなおすことができ、換気風量を目標値どおりにすることが可能となる。
【００２６】
また第１０の態様に係わる浴室換気装置は、電力供給開始時に圧力損失値の演算が禁止された後、電力供給の時間が予め定められた時間経過した場合、前記圧力損失演算部は電力供給開始時に前記圧力損失値を演算する、ことを特徴とする。
【００２７】
この構成によれば、浴室換気装置を設置し使用を続けている間に、排気路に埃や木の葉などの異物が溜まったりして圧力損失が変わってしまい、一時的に正しくない圧力損失を基に換気運転を行ったとしても、一定時間経過すれば（電力供給を行えば）正しい圧力損失を演算しなおすことができ、換気風量を目標値どおりにすることが可能となる。
【００２８】
また第１１の態様に係わる浴室換気装置は、電力供給開始時に圧力損失値の演算が禁止された後、換気運転の時間が予め定められた時間以上となった場合、前記圧力損失演算部は電力供給開始時に前記圧力損失値を演算する、ことを特徴とする。
【００２９】
この構成によれば、浴室換気装置を設置し使用を続けている間に、排気路に埃や木の葉などの異物が溜まったりして圧力損失が変わってしまい、一時的に正しくない圧力損失を基に換気運転を行ったとしても、一定時間換気運転を行えば正しい圧力損失を演算しなおすことができ、換気風量を目標値どおりにすることが可能となる。
【００３０】
また第１２の態様に係わる浴室換気装置は、Ｎ−１回目（Ｎ≧２）の圧力損失値の演算結果と、Ｎ回目の圧力損失値の演算結果との差に応じて、電力供給開始時の圧力損失値の演算が禁止された後、次に圧力損失値の演算を行うまでの電力供給の停止および開始回数を変更する、ことを特徴とする。
【００３１】
この構成によれば、圧力損失の変化の兆候があるかどうかを推定し、圧力損失の変化の兆候がなければ、電力供給開始時の圧力損失の演算を行わなくなってから、再度圧力損失の演算を実施するまでの期間を長くすることで、使用者の意図しない動作を行う頻度を低減し、圧力損失の変化の兆候があれば、電力供給開始時の圧力損失の演算を行わなくなってから、再度圧力損失の演算を実施するまでの期間を短くすることで、一時的に正しくない圧力損失を基に換気運転を行っている期間を短くすることが可能となる。
【００３２】
また第１３の態様に係わる浴室換気装置は、Ｎ−１回目（Ｎ≧２）の圧力損失値の演算結果と、Ｎ回目の圧力損失値の演算結果との差に応じて、電力供給開始時の圧力損失値の演算が禁止された後、次に圧力損失値の演算を行うまでの通電時間又は換気運転時間を変更する、ことを特徴とする。
【００３３】
この構成によれば、圧力損失の変化の兆候があるかどうかを推定し、圧力損失の変化の兆候がなければ、電力供給開始時の圧力損失の演算を行わなくなってから、再度圧力損失の演算を実施するまでの期間を長くすることで、使用者の意図しない動作を行う頻度を低減し、圧力損失の変化の兆候があれば、電力供給開始時の圧力損失の演算を行わなくなってから、再度圧力損失の演算を実施するまでの期間を短くすることで、一時的に正しくない圧力損失を基に換気運転を行っている期間を短くすることが可能となる。
【発明の効果】
【００３４】
本発明によれば、使用者の意図しない動作が頻繁に行われ、使用者がうるさいと感じる、あるいは誤動作と勘違いしてしまうことを防ぐとともに、途中で圧力損失が変わってしまった場合に、必要な換気風量を得ることが可能となる。
【図面の簡単な説明】
【００３５】
【図１】本発明の第１実施形態に係わる浴室換気装置の第１の構成を表すブロック図である。
【図２】本発明の第１実施形態に係わる圧力損失演算要否判定処理を表す第１の制御フローチャートである。
【図３Ａ】本発明の第１実施形態に係わる圧力損失演算の動作タイミングを表す第１のタイミングチャートである。
【図３Ｂ】本発明の第１実施形態に係わる圧力損失演算の動作タイミングを表す第２のタイミングチャートである。
【図４】本発明の第２実施形態に係わる圧力損失演算要否判定処理を表す第２の制御フローチャートである。
【図５Ａ】本発明の第２実施形態に係わる圧力損失演算の動作タイミングを表す第３のタイミングチャートである。
【図５Ｂ】本発明の第２実施形態に係わる圧力損失演算の動作タイミングを表す第４のタイミングチャートである。
【図６】本発明の第３実施形態に係わる圧力損失演算要否判定処理を表す第３の制御フローチャートである。
【図７Ａ】本発明の第３実施形態に係わる圧力損失演算の動作タイミングを表す第５のタイミングチャートである。
【図７Ｂ】本発明の第３実施形態に係わる圧力損失演算の動作タイミングを表す第６のタイミングチャートである。
【図８】本発明の第４実施形態に係わる浴室換気装置の第２の構成を表すブロック図である。
【図９】本発明の第４実施形態に係わる圧力損失演算要否判定処理を表す第４の制御フローチャートである。
【図１０】本発明の第４実施形態に係わる圧力損失演算の動作タイミングを表す第７のタイミングチャートである。
【図１１】本発明の第５実施形態に係わる圧力損失演算要否判定処理を表す第５の制御フローチャートである。
【図１２】本発明の第５実施形態に係わる圧力損失演算の動作タイミングを表す第８のタイミングチャートである。
【図１３】本発明の第６実施形態に係わる浴室換気装置の第３の構成を表すブロック図である。
【図１４】本発明の第６実施形態に係わる圧力損失演算要否判定処理を表す第６の制御フローチャートである。
【図１５】本発明の第６実施形態に係わる圧力損失演算の動作タイミングを表す第９のタイミングチャートである。
【図１６】本発明の第７実施形態に係わる圧力損失演算要否判定処理を表す第７の制御フローチャートである。
【図１７】本発明の第７実施形態に係わる圧力損失演算の動作タイミングを表す第１０のタイミングチャートである。
【図１８】本発明の第８実施形態に係わる圧力損失演算要否判定処理を表す第８の制御フローチャートである。
【図１９】本発明の第８実施形態に係わる圧力損失演算の動作タイミングを表す第１１のタイミングチャートである。
【図２０】本発明の第９実施形態に係わる圧力損失演算要否判定処理を表す第９の制御フローチャートである。
【図２１】本発明の第１０実施形態に係わる浴室換気装置の第４の構成を表すブロック図である。
【図２２】本発明の第１０実施形態に係わる圧力損失演算要否判定処理を表す第１０の制御フローチャートである。
【図２３】本発明の第１０実施形態に係わる圧力損失演算の動作タイミングを表す第１２のタイミングチャートである。
【図２４】本発明の第１１実施形態に係わる圧力損失演算再開判定処理を表す第１の制御フローチャートである。
【図２５】本発明の第１１実施形態に係わる圧力損失演算の動作タイミングを表す第１３のタイミングチャートである。
【図２６】本発明の第１２実施形態に係わる圧力損失演算再開判定処理を表す第２の制御フローチャートである。
【図２７】本発明の第１２実施形態に係わる圧力損失演算の動作タイミングを表す第１４のタイミングチャートである。
【図２８】本発明の第１３実施形態に係わる圧力損失演算再開判定処理を表す第３の制御フローチャートである。
【図２９】本発明の第１３実施形態に係わる圧力損失演算の動作タイミングを表す第１５のタイミングチャートである。
【図３０】本発明の第１４実施形態に係わる圧力損失演算再開判定処理を表す第４の制御フローチャートである。
【図３１】本発明の第１４実施形態に係わる圧力損失演算の動作タイミングを表す第１６のタイミングチャートである。
【図３２】本発明の第１５実施形態に係わる圧力損失演算再開判定処理を表す第５の制御フローチャートである。
【図３３】本発明の第１５実施形態に係わる圧力損失演算の動作タイミングを表す第１７のタイミングチャートである。
【図３４】本発明の第１６実施形態に係わる圧力損失演算要否判定処理を表す第１１の制御フローチャートである。
【図３５】本発明の第１６実施形態に係わる圧力損失演算再開判定処理を表す第６の制御フローチャートである。
【図３６Ａ】本発明の第１６実施形態に係わる圧力損失演算の動作タイミングを表す第１８のタイミングチャートである。
【図３６Ｂ】本発明の第１６実施形態に係わる圧力損失演算の動作タイミングを表す第１９のタイミングチャートである。
【図３６Ｃ】本発明の第１６実施形態に係わる圧力損失演算の動作タイミングを表す第２０のタイミングチャートである。
【図３７】本発明の第１７実施形態に係わる圧力損失演算要否判定処理を表す第１２の制御フローチャートである。
【図３８】本発明の第１７実施形態に係わる圧力損失演算再開判定処理を表す第７の制御フローチャートである。
【図３９Ａ】本発明の第１７実施形態に係わる圧力損失演算の動作タイミングを表す第２１のタイミングチャートである。
【図３９Ｂ】本発明の第１７実施形態に係わる圧力損失演算の動作タイミングを表す第２２のタイミングチャートである。
【図３９Ｃ】本発明の第１７実施形態に係わる圧力損失演算の動作タイミングを表す第２３のタイミングチャートである。
【図４０】本発明の第１８実施形態に係わる圧力損失演算再開判定処理を表す第８の制御フローチャートである。
【図４１Ａ】本発明の第１８実施形態に係わる圧力損失演算の動作タイミングを表す第２４のタイミングチャートである。
【図４１Ｂ】本発明の第１８実施形態に係わる圧力損失演算の動作タイミングを表す第２５のタイミングチャートである。
【図４１Ｃ】本発明の第１８実施形態に係わる圧力損失演算の動作タイミングを表す第２６のタイミングチャートである。
【発明を実施するための形態】
【００３６】
以下、添付図面を参照しながら本発明の＜第１実施形態＞〜＜第１８実施形態＞、＜変形例＞の順序に従って複数の実施形態について説明する。理解を容易にするため、各図面において同一の構成要素に対しては可能な限り同一の符合を付し、重複する説明は省略する。
【００３７】
＜第１実施形態＞
図１は、本発明の第１実施形態に係わる浴室換気装置１００の構成を表すブロック図である。
【００３８】
ファン１はＤＣモータ２に接続されており、浴室３の天井もしくは壁面の開口部に吸気口が設置されている。さらに排気路４の一端はファン１に接続され、もう一端は浴室外部へとつながる排気口に接続されており、ＤＣモータ２の回転に連動してファン１が回転することにより、排気路４を通して浴室３内の湿った空気を浴室外部へ排気する構成となっている。
【００３９】
ＤＣモータ２にはモータ駆動部５と回転数検出部６とが接続されており、モータ駆動部５は制御部７からの制御指令に応じてＤＣモータ２への通電を変化させ、ＤＣモータ２の回転数はその通電に応じて変化する。また、回転数検出部６はＤＣモータ２の回転数の検出を行い、その検出値を制御部７に入力する。
【００４０】
制御部７には、後述する換気制御部８と、圧力損失演算部９と、禁止部１０と、記憶手段１１と、が含まれている。例えば、換気制御部８と圧力損失演算部９と禁止部１０とは、同じプロセッサで構成され、記憶手段１１はメモリで構成される。
【００４１】
換気制御部８は、ファン１による換気運転のためにＤＣモータ２へ通電を行い、ＤＣモータ２の回転数の検出結果が目標の回転数と一致するように制御を行うようになっている。
【００４２】
圧力損失演算部９は、換気運転のときより高い回転数でファン１を回転させるためにＤＣモータ２へ通電を行い、ＤＣモータ２の回転数の検出結果が目標の回転数と一致するように制御を行うとともに、そのときのＤＣモータ２への通電電力により排気路４の圧力損失値を演算するようになっており、演算した圧力損失は記憶手段１１に記憶するようになっている。また禁止部１０は圧力損失演算部９による圧力損失値の演算を行わないよう（禁止するよう）、圧力損失演算部９からＤＣモータ２への通電を止めるようになっている。
【００４３】
また、浴室換気装置１００に電力を供給するための商用電源１３、および図示しない太陽光発電などの電力または商用電源１３からの電力を蓄える蓄電池１４、そしてこれら商用電源１３と蓄電池１４から供給される電力を選択的に切り替えて制御部７に供給する電源部１２より構成されている。
【００４４】
電源部１２による切り替えは、例えば太陽光発電により発電した電力を蓄電池１４に蓄え、その蓄電電力を浴室換気装置１００に供給しているときに、蓄電池１４に蓄電された電力が低下してきたために商用電源１３に切り替えたり、夜から昼になり太陽光発電の発電電力が大きくなり蓄電池１４に蓄えられた電力が大きくなったため、商用電源１３から蓄電池１４に切り替えるといった場合に行われる。また、商用電源１３のバックアップ電源として蓄電池１４に蓄電しておき、商用電源１３が停電したため蓄電池１４に切り替え、商用電源１３の停電が回復すると、蓄電池１４から商用電源１３に切り替えるといった場合などに行われる。
【００４５】
以上の構成において、本発明の浴室換気装置の圧力損失演算の要否を判定する動作についてフローチャートにより説明する。図２は浴室換気装置の圧力損失演算要否判定処理を表す制御フローチャートである。
【００４６】
まず停電が起こらず商用電源１３もしくは蓄電池１４からの電力供給が継続していれば（Ｓ１０１：Ｎｏ）、何も行わず通常動作を継続する。また商用電源１３の停電、もしくは商用電源１３と蓄電池１４との切り替り時に停電が発生して（Ｓ１０１：Ｙｅｓ）、その後商用電源１３もしくは蓄電池１４からの電力供給が開始されると（Ｓ１０２）、制御部７は電力供給開始回数Ｎをカウントアップする（Ｓ１０３）。そして圧力損失値（以下、圧損という）の演算の要否を、後述するステップＳ１０９またはＳ１１０でセットする圧損演算要否フラグにて確認し（Ｓ１０４）、圧損演算が要であれば（Ｓ１０４：Ｙｅｓ）、圧力損失演算部９によりファン１の回転数が例えば１５００ｒｐｍとなるようＤＣモータ２へ通電を行い、そのときのＤＣモータ２の通電電力とファン１の回転数より圧損値（例えば０〜２５５段階のレベル）を演算し（Ｓ１０５）、記憶手段１１に最新の圧損値を記憶する。続いて、電力供給開始回数Ｎが例えば５以上（Ｎ≧５）となったかをチェックし（Ｓ１０６）、５回未満であれば（Ｓ１０６：Ｎｏ）、禁止部１０は圧損演算＝要にフラグをセットして（Ｓ１１０）、圧力損失演算部９からＤＣモータ２への通電を行えるようにする。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【００４７】
以上の動作を繰り返しながら圧損演算を５回行い、電力供給開始回数Ｎが５回になったら（Ｓ１０６：Ｙｅｓ）、最新の５回目（Ｎ回目）に演算した圧損値と、前回の４回目（Ｎ−１回目）に演算した圧損値との差の絶対値、すなわち圧損の差を求める（Ｓ１０７）。もし圧損の差が１を超えていれば（Ｓ１０８：Ｎｏ）、圧損がまだ変化しているため、次回の電力供給開始時にも圧損を演算する必要があるので、禁止部１０は圧損演算＝要にフラグをセットして（Ｓ１１０）、圧力損失演算部９からＤＣモータ２への通電を行えるようにする。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【００４８】
もし５回目の圧損と、４回目の圧損との差の絶対値（圧損の差）が１以下であれば（Ｓ１０８：Ｙｅｓ）、圧損が安定しているため次回の停電後の電力供給開始時には圧損を演算する必要がないので、禁止部１０は圧損演算＝否にフラグをセットして（Ｓ１０９）、圧力損失演算部９からＤＣモータ２への通電を禁止する。そして、通常の浴室換気装置の動作に移行し使用者により換気運転の指示があった場合、記憶手段１１に記憶した圧損値に応じたファン１の回転数となるよう、換気制御部８によりＤＣモータ２を制御する。その後、再び停電が発生した後（Ｓ１０１：Ｙｅｓ）、電力供給が開始されると（Ｓ１０２）、電力供給開始回数Ｎをカウントアップした後（Ｓ１０３）、制御部７は圧損演算＝否となっているため（Ｓ１０４：Ｎｏ）、禁止部１０により圧力損失演算部９からＤＣモータ２への通電を禁止し、圧損演算処理は行わずに通常動作に移行するようになっている。
【００４９】
以上のフローチャートに従って制御された場合の、浴室換気装置の圧損演算動作の具体例について図３Ａおよび図３Ｂのタイミングチャートを用いて説明する。
【００５０】
図３Ａのタイミングチャートにおいて、まず商用電源１３が投入される等により電力供給が開始されると、ファン１を第二回転数として例えば１５００ｒｐｍの回転数で駆動し圧損演算を行い、圧損が０〜２５５段階の１００であったとする。続いて、使用者により換気運転が指示されると、第一回転数として圧損値１００に応じた回転数（例えば８００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１００であったとする。このように停電、電力供給開始を繰り返し、電力供給が開始されたときに圧損を演算した結果、４回目が１０１、５回目が１００であったとすると、４回目の圧損値と５回目の圧損値との差が１（≦１）であり、圧損が安定しているため次回以降の圧損演算は否となる。その結果、６回目と７回目の電力供給開始時には圧損演算が行われない。
【００５１】
また図３Ｂのタイミングチャートでは、同様に電力供給が開始されると、ファン１を第二回転数として例えば１５００ｒｐｍの回転数で駆動し圧損演算を行い、圧損が０〜２５５段階の１００であったとする。続いて、使用者により換気運転が指示されると、第一回転数として圧損値１００に応じた回転数（例えば８００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１００であったとする。このように停電、電力供給開始を繰り返し、電力供給が開始されたときに圧損を演算した結果、４回目が１０２、５回目が１０５であったとすると、４回目の圧損値と５回目の圧損値との差が３（＞１）となり、圧損が変化しているため次回以降の圧損演算は要となる。その結果６回目と７回目の電力供給開始時にも圧損演算は行われる。
【００５２】
このようにして、停電後の電力供給開始時に圧損の演算を行う浴室換気装置１００で、圧損の変化している状態では、電力供給開始時の圧損演算を継続して行い、正しい圧損を演算し直して、正しい圧損に基づいて換気ファンの目標回転数を変更でき、必要な換気風量を得ることが可能となる。また圧損の変化がなく安定している状態では、圧損演算が禁止されて、電力供給開始時にファン１が回転しないため、停電が発生して電力供給が復帰する度に圧力損失の演算を行うことを回避できる。そうすることで使用者の意図しない動作が頻繁に発生することにより、使用者がうるさいと感じたり、誤動作と勘違いしたりすることを防ぐことが可能となる。
【００５３】
＜第２実施形態＞
次に、浴室換気装置の圧力損失演算の要否を判定する第２実施形態について図４のフローチャートを用いて説明する。
【００５４】
第２実施形態は、１回目に演算した圧損値と５回目に演算した圧損値との差により、圧損演算の要否を判断する点で、第１実施形態と異なる。
【００５５】
まず停電が起こらず商用電源１３もしくは蓄電池１４からの電力供給が継続していれば（Ｓ１２１：Ｎｏ）、何も行わず通常動作を継続する。また商用電源１３の停電、もしくは商用電源１３と蓄電池１４との切り替り時に停電が発生して（Ｓ１２１：Ｙｅｓ）、その後商用電源１３もしくは蓄電池１４からの電力供給が開始されると（Ｓ１２２）、制御部７は電力供給開始回数Ｎをカウントアップする（Ｓ１２３）。そして圧損の演算の要否を、後述するステップＳ１２９またはＳ１３０でセットする圧損演算要否フラグにて確認し（Ｓ１２４）、圧損演算が要であれば（Ｓ１２４：Ｙｅｓ）、圧力損失演算部９によりファン１の回転数が例えば１５００ｒｐｍとなるようＤＣモータ２へ通電を行い、そのときのＤＣモータ２の通電電力とファン１の回転数より圧損値（例えば０〜２５５段階のレベル）を演算し（Ｓ１２５）、記憶手段１１に最新の圧損値を記憶する。続いて、電力供給開始回数Ｎが例えば５以上（Ｎ≧５）となったかをチェックし（Ｓ１２６）、５回未満であれば（Ｓ１２６：Ｎｏ）、禁止部１０は圧損演算＝要にフラグをセットして（Ｓ１３０）、圧力損失演算部９からＤＣモータ２への通電を行えるようにする。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【００５６】
以上の動作を繰り返しながら圧損演算を５回行い、電力供給開始回数Ｎが５回になったら（Ｓ１２６：Ｙｅｓ）、最新の５回目（Ｎ回目）に演算した圧損値と、最初に電力供給されたとき（１回目）の圧損値との差の絶対値、すなわち圧損の差を求める（Ｓ１２７）。もし圧損の差が２を超えていれば（Ｓ１２８：Ｎｏ）、圧損がまだ変化しているため、次回の電力供給開始時にも圧損を演算する必要があるので、禁止部１０は圧損演算＝要にフラグをセットして（Ｓ１３０）、圧力損失演算部９からＤＣモータ２への通電を行えるようにする。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【００５７】
もし５回目の圧損と、１回目の圧損との差の絶対値（圧損の差）が２以下であれば（Ｓ１２８：Ｙｅｓ）、圧損が安定しているため次回の停電後の電力供給開始時には圧損を演算する必要がないので、禁止部１０は圧損演算＝否にフラグをセットして（Ｓ１２９）、圧力損失演算部９からＤＣモータ２への通電を禁止する。そして、通常の浴室換気装置の動作に移行し使用者により換気運転の指示があった場合、記憶手段１１に記憶した圧損値に応じたファン１の回転数となるよう、換気制御部８によりＤＣモータ２を制御する。その後、再び停電が発生した後（Ｓ１２１：Ｙｅｓ）、電力供給が開始されると（Ｓ１２２）、制御部７は電力供給開始回数Ｎをカウントアップした後（Ｓ１２３）、圧損演算＝否となっているため（Ｓ１２４：Ｎｏ）、禁止部１０により圧力損失演算部９からＤＣモータ２への通電を禁止し、圧損演算処理は行わずに通常動作に移行するようになっている。
【００５８】
以上のフローチャートに従って制御された場合の、浴室換気装置の圧損演算動作の具体例について図５Ａおよび図５Ｂのタイミングチャートを用いて説明する。
【００５９】
図５Ａのタイミングチャートにおいて、まず商用電源１３が投入される等により電力供給が開始されると、ファン１を第二回転数として例えば１５００ｒｐｍの回転数で駆動し圧損演算を行い、圧損が０〜２５５段階の７５であったとする。続いて、使用者により換気運転が指示されると、第一回転数として圧損値７５に応じた回転数（例えば７００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が７５であったとする。このように停電、電力供給開始を繰り返し、電力供給が開始されたときに圧損を演算した結果、５回目が７６であったとすると、１回目の圧損値と５回目の圧損値との差が１（≦２）であり、圧損が安定しているため次回以降の圧損演算は否となる。その結果６回目と７回目の電力供給開始時には圧損演算が行われない。
【００６０】
また図５Ｂのタイミングチャートでは、同様に電力供給が開始されると、ファン１を第二回転数として例えば１５００ｒｐｍの回転数で駆動し圧損演算を行い、圧損が０〜２５５段階の７５であったとする。続いて、使用者により換気運転が指示されると、第一回転数として圧損値７５に応じた回転数（例えば７００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が７５であったとする。このように停電、電力供給開始を繰り返し、電力供給が開始されたときに圧損を演算した結果、５回目が８０であったとすると、１回目の圧損値と５回目の圧損値との差が５（＞２）となり、圧損が変化しているため次回以降の圧損演算は要となる。その結果６回目と７回目の電力供給開始時にも圧損演算は行われる。
【００６１】
このようにして、停電後の電力供給開始時に圧損の演算を行う浴室換気装置１００で、圧損の変化している状態では、電力供給開始時の圧損演算を継続して行い、正しい圧損を演算し直して、正しい圧損に基づいて換気ファンの目標回転数を変更でき、必要な換気風量を得ることが可能となる。また圧損の変化がなく安定している状態では、圧損演算が禁止されて、電力供給開始時にファン１が回転しないため、停電が発生して電力供給が復帰する度に圧力損失の演算を行うことを回避できる。そうすることで使用者の意図しない動作が頻繁に発生することにより、使用者がうるさいと感じたり、誤動作と勘違いしたりすることを防ぐことが可能となる。
【００６２】
＜第３実施形態＞
次に、浴室換気装置の圧力損失演算の要否を判定する第３実施形態について図６のフローチャートを用いて説明する。
【００６３】
第３実施形態は、１回目に演算した圧損値と５回目に演算した圧損値との変化率により、圧損演算の要否を判断する点で、第１実施形態〜第２実施形態と異なる。
【００６４】
まず停電が起こらず商用電源１３もしくは蓄電池１４からの電力供給が継続していれば（Ｓ１４１：Ｎｏ）、何も行わず通常動作を継続する。また商用電源１３の停電、もしくは商用電源１３と蓄電池１４との切り替り時に停電が発生して（Ｓ１４１：Ｙｅｓ）、その後商用電源１３もしくは蓄電池１４からの電力供給が開始されると（Ｓ１４２）、制御部７は電力供給開始回数Ｎをカウントアップする（Ｓ１４３）。そして圧損の演算の要否を、後述するステップＳ１４９またはＳ１５０でセットする圧損演算要否フラグにて確認し（Ｓ１４４）、圧損演算が要であれば（Ｓ１４４：Ｙｅｓ）、圧力損失演算部９によりファン１の回転数が例えば１５００ｒｐｍとなるようＤＣモータ２へ通電を行い、そのときのＤＣモータ２の通電電力とファン１の回転数より圧損値（例えば０〜２５５段階のレベル）を演算し（Ｓ１４５）、記憶手段１１に最新の圧損値を記憶する。続いて、電力供給開始回数Ｎが例えば５以上（Ｎ≧５）となったかをチェックし（Ｓ１４６）、５回未満であれば（Ｓ１４６：Ｎｏ）、禁止部１０は圧損演算＝要にフラグをセットして（Ｓ１５０）、圧力損失演算部９からＤＣモータ２への通電を行えるようにする。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【００６５】
以上の動作を繰り返しながら圧損演算を５回行い、電力供給開始回数Ｎが５回になったら（Ｓ１４６：Ｙｅｓ）、最新の５回目（Ｎ回目）に演算した圧損値と、最初（１回目）に演算した圧損値との差の絶対値を、１回目の圧損値で割り、圧損の変化率を求める（Ｓ１４７）。もし圧損の変化率が０．０１を超えていれば（Ｓ１４８：Ｎｏ）、圧損がまだ変化しているため、次回の電力供給開始時にも圧損を演算する必要があるので、禁止部１０は圧損演算＝要にフラグをセットして（Ｓ１５０）、圧力損失演算部９からＤＣモータ２への通電を行えるようにする。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【００６６】
もし圧損の変化率が０．０１以下であれば（Ｓ１４８：Ｙｅｓ）、圧損が安定しているため次回の停電後の電力供給開始時には圧損を演算する必要がないので、禁止部１０は圧損演算＝否にフラグをセットして（Ｓ１４９）、圧力損失演算部９からＤＣモータ２への通電を禁止する。そして、通常の浴室換気装置の動作に移行し使用者により換気運転の指示があった場合、記憶手段１１に記憶した圧損値に応じたファン１の回転数となるよう、換気制御部８によりＤＣモータ２を制御する。その後、再び停電が発生した後（Ｓ１４１：Ｙｅｓ）、電力供給が開始されると（Ｓ１４２）、制御部７は電力供給開始回数Ｎをカウントアップした後（Ｓ１４３）、圧損演算＝否となっているため（Ｓ１４４：Ｎｏ）、禁止部１０により圧力損失演算部９からＤＣモータ２への通電を禁止し、圧損演算処理は行わずに通常動作に移行するようになっている。
【００６７】
以上のフローチャートに従って制御された場合の、浴室換気装置の圧損演算動作の具体例について図７Ａおよび図７Ｂのタイミングチャートを用いて説明する。
【００６８】
図７Ａのタイミングチャートにおいて、まず商用電源１３が投入される等により電力供給が開始されると、ファン１を第二回転数として例えば１５００ｒｐｍの回転数で駆動し圧損演算を行い、圧損が０〜２５５段階の１８０であったとする。続いて、使用者により換気運転が指示されると、第一回転数として圧損値１８０に応じた回転数（例えば１０００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１８０であったとする。このように停電、電力供給開始を繰り返し、電力供給が開始されたときに圧損を演算した結果、５回目が１８１であったとすると、１回目の圧損値と５回目の圧損値の変化率が０．００５６（≦０．０１）であり、圧損が安定しているため次回以降の圧損演算は否となる。その結果６回目、７回目の電力供給開始時には圧損演算が行われない。
【００６９】
また図７Ｂのタイミングチャートでは、同様に電力供給が開始されると、ファン１を第二回転数として例えば１５００ｒｐｍの回転数で駆動し圧損演算を行い、圧損が０〜２５５段階の１８０であったとする。続いて、使用者により換気運転が指示されると、第一回転数として圧損値１８０に応じた回転数（例えば１０００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１８０であったとする。このように停電、電力供給開始を繰り返し、電力供給が開始されたときに圧損を演算した結果、５回目が１８５であったとすると、１回目の圧損値と５回目の圧損の変化率が０．０２７８（＞０．０１）となり、圧損が変化しているため次回以降の圧損演算は要となる。その結果６回目、７回目の電力供給開始時にも圧損演算は行われる。
【００７０】
このようにして、停電後の電力供給開始時に圧損の演算を行う浴室換気装置１００で、圧損の変化している状態では、電力供給開始時の圧損演算を継続して行い、正しい圧損を演算し直して、正しい圧損に基づいて換気ファンの目標回転数を変更でき、必要な換気風量を得ることが可能となる。また圧損の変化がなく安定している状態では、圧損演算が禁止されて、電力供給開始時にファン１が回転しないため、停電が発生して電力供給が復帰する度に圧力損失の演算を行うことを回避できる。そうすることで使用者の意図しない動作が頻繁に発生することにより、使用者がうるさいと感じたり、誤動作と勘違いしたりすることを防ぐことが可能となる。
【００７１】
＜第４実施形態＞
次に、浴室換気装置の圧力損失演算の要否を判定する第４実施形態について説明する。
【００７２】
第４実施形態は、停電と次の停電との間隔により圧損演算の要否を判断する点で、第１実施形態〜第３実施形態と異なる。
【００７３】
図８は、本発明の第４実施形態にかかわる浴室換気装置１１０の構成を表すブロック図である。なお浴室換気装置１１０の以下で説明する構成以外の構成は、第１実施形態の浴室換気装置１００の構成と同様である。
【００７４】
浴室換気装置１１０は、制御部７に停電と次の停電との間隔を計時する停電間隔計時部１６を備え、電源部１２からの制御部７への電力供給が途絶えたことを検出する停電検出部１５より構成されている。
【００７５】
以上の構成において、第４実施形態の圧力損失演算の要否を判定する動作についてフローチャートにより説明する。図９は浴室換気装置の圧力損失演算要否判定処理を表す制御フローチャートである。
【００７６】
まず停電が起こらず商用電源１３もしくは蓄電池１４からの電力供給が継続している状態で停電間隔計時部１６は停電間隔時間をカウントアップしながら（Ｓ２０１、Ｓ２０２：Ｎｏ）、通常動作を継続する。そこで商用電源１３の停電、もしくは商用電源１３と蓄電池１４との切り替り時に停電が発生して（Ｓ２０２：Ｙｅｓ）、その後商用電源１３もしくは蓄電池１４からの電力供給が開始されると（Ｓ２０３）、制御部７は停電間隔計時部１６でカウントした停電間隔時間が例えば４０００時間より長いかをチェックする（Ｓ２０４）。もし４０００時間より長ければ（Ｓ２０４：Ｙｅｓ）、圧力損失演算部９によりファン１の回転数が１５００ｒｐｍとなるようＤＣモータ２へ通電を行い、そのときのＤＣモータ２の通電電力とファン１の回転数より圧損値（例えば０〜２５５段階のレベル）を演算し（Ｓ２０５）、記憶手段１１に最新の圧損値を記憶する。続いて、停電間隔計時部１６の停電間隔時間を０にリセットする（Ｓ２０６）。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【００７７】
また、停電間隔計時部１６でカウントした停電間隔時間が４０００時間未満であった場合（Ｓ２０４：Ｎｏ）、禁止部１０により圧力損失演算部９からＤＣモータ２への通電を禁止して圧損演算処理は行わないようにする。そして停電間隔計時部１６の停電間隔時間を０にリセットして（Ｓ２０６）、通常動作に移行するようになっている。
【００７８】
以上のフローチャートに従って制御された場合の、浴室換気装置の圧損演算動作の具体例について図１０のタイミングチャートを用いて説明する。
【００７９】
まず商用電源１３が投入される等により電力供給が開始されると、ファン１を第二回転数として例えば１５００ｒｐｍの回転数で駆動し圧損演算を行い、停電間隔時間のカウントアップを始める。続いて、停電間隔時間のカウントアップを継続しながら、使用者により換気運転が指示されると、第一回転数として先ほど求めた圧損値に応じた回転数（例えば８００ｒｐｍ）でファン１を駆動し、換気運転が行われる。その換気運転中に停電が発生すると、停電間隔時間のカウントアップが止まり、再度電力供給が開始され、停電間隔時間を確認すると１００００時間（≧４０００時間）であるため、再びファン１を１５００ｒｐｍの回転数で駆動し圧損演算が行われる。そして、再び停電間隔時間を０からカウントアップしながら、使用者により換気運転が指示されると、先ほど演算した圧損値に応じた回転数（例えば８００ｒｐｍ）でファン１を駆動し、換気運転が行われる。その換気運転中に停電が発生すると、停電間隔時間のカウントアップが止まり、再度電力供給が開始され、停電間隔時間を確認すると１４時間（＜４０００時間）であるため、圧損演算は行われない。
【００８０】
そして記憶している圧損値に基づいた回転数で換気運転を行っている途中で停電、電力供給が開始され、停電間隔時間を確認すると１０時間（＜４０００時間）であるため、圧損演算は行われない。引き続き記憶している圧損値に基づいた回転数で換気運転を行っている途中で停電、電力供給が開始され、停電間隔時間を確認すると６０００時間（≧４０００時間）であるため、再びファン１を１５００ｒｐｍの回転数で駆動し圧損演算が行われる。
【００８１】
このようにして、停電後の電力供給開始時に圧損の演算を行う浴室換気装置１１０で、商用電源１３と太陽光発電などの発電電力を基にした蓄電池１４とを朝と夕方に切り替えるような、１日の中で数回起こるような短い間隔（例えば、図１０のタイミングチャートでは１４時間や１０時間）で発生する停電の場合は圧損の演算を行わず、商用電源の停電のように１年に１回のような低い頻度で起こる長い間隔（例えば図１０のタイミングチャートでは１００００時間や６０００時間）の停電の場合は、圧損の演算を行うようできる。そのため、使用者の意図しないファンの高速回転動作が頻繁に発生することにより、使用者がうるさいと感じたり、誤動作と勘違いしたりすることを防ぐことが可能になるとともに、排気路４に埃などが堆積して長期間に渡って徐々に圧損が変化したような場合には、圧損を覚え直して換気ファンの目標回転数を変更し、本来必要な換気風量を得ることが可能となる。
【００８２】
＜第５実施形態＞
次に、浴室換気装置の圧力損失演算の要否を判定する第５実施形態について図１１のフローチャートを用いて説明する。
【００８３】
第５実施形態は、停電と次の停電との間隔により圧損演算の要否を判断する点で、第１実施形態〜第３実施形態と異なり、また、圧損演算要否の判断結果をフラグとしてセットする点で、第４実施形態と異なる。
【００８４】
まず停電が起こらず商用電源１３もしくは蓄電池１４からの電力供給が継続している状態で停電間隔計時部１６は停電間隔時間をカウントアップしながら（Ｓ２２１、Ｓ２２２：Ｎｏ）、通常動作を継続する。そこで商用電源１３の停電、もしくは商用電源１３と蓄電池１４との切り替り時に停電が発生して（Ｓ２２２：Ｙｅｓ）、その後商用電源１３もしくは蓄電池１４からの電力供給が開始されると（Ｓ２２３）、制御部７は停電間隔計時部１６でカウントした停電間隔時間が例えば４０００時間より長いかをチェックする（Ｓ２２４）。もし４０００時間より長ければ（Ｓ２２４：Ｙｅｓ）、圧損の演算の要否を、後述するステップＳ２２７またはＳ２２８でセットする圧損演算要否フラグにて確認し（Ｓ２２５）、圧損演算が要であれば（Ｓ２２５：Ｙｅｓ）、圧力損失演算部９によりファン１の回転数が１５００ｒｐｍとなるようＤＣモータ２へ通電を行い、そのときのＤＣモータ２の通電電力とファン１の回転数より圧損値（例えば０〜２５５段階のレベル）を演算し（Ｓ２２６）、記憶手段１１に最新の圧損値を記憶する。そして、停電と次の停電との間隔が長く、商用電源１３と蓄電池１４との頻繁な切り替りがなく、次回の停電からの電力供給開始時にも圧損を演算しても差し支えないため、禁止部１０は圧損演算＝要にフラグをセットして（Ｓ２２７）、圧力損失演算部９からＤＣモータ２への通電を行えるようにする。続いて、停電間隔計時部１６の停電間隔時間を０にリセットする（Ｓ２２９）。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【００８５】
また、停電間隔計時部１６でカウントした停電間隔時間が４０００時間より短ければ（Ｓ２２４：Ｎｏ）、停電と停電との間隔が短く、商用電源１３と蓄電池１４との切り替りがある可能性が高いため、禁止部１０は圧損演算＝非にフラグをセットして（Ｓ２２８）、圧力損失演算部９からＤＣモータ２への通電を禁止する。続いて、停電間隔計時部１６の停電間隔時間を０にリセットする（Ｓ２２９）。そして通常の浴室換気装置の動作に移行し使用者により換気運転の指示があった場合、記憶手段１１に記憶した圧損値に応じたファン１の回転数となるよう、換気制御部８によりＤＣモータ２を制御する。
【００８６】
さらに、停電間隔計時部１６でカウントした停電間隔時間が４０００時間より長い場合で（Ｓ２２４：Ｙｅｓ）、圧損演算の要否が否であったときは（Ｓ２２５：Ｎｏ）、今回の停電と停電の間隔は長かったが、以前起こった停電と停電との間隔が短く、商用電源１３と蓄電池１４との切り替りっている可能性があるため、禁止部１０は圧損演算＝要にフラグをセットして（Ｓ２２８）、圧力損失演算部９からＤＣモータ２への通電を禁止する。続いて、停電間隔計時部１６の停電間隔時間を０にリセットする（Ｓ２２９）。そして通常の浴室換気装置の動作に移行し使用者により換気運転の指示があった場合、記憶手段１１に記憶した圧損値に応じたファン１の回転数となるよう、換気制御部８によりＤＣモータ２を制御する。
【００８７】
以上のフローチャートに従って制御された場合の、浴室換気装置の圧損演算動作の具体例について図１２のタイミングチャートを用いて説明する。
【００８８】
まず商用電源１３が投入される等により電力供給が開始されると、ファン１を第二回転数として例えば１５００ｒｐｍの回転数で駆動し圧損演算を行い、停電間隔時間のカウントアップを始める。続いて、停電間隔時間のカウントアップを継続しながら、使用者により換気運転が指示されると、第一回転数として先ほど求めた圧損値に応じた回転数（例えば８００ｒｐｍ）でファン１を駆動し、換気運転が行われる。その換気運転中に停電が発生すると、停電間隔時間のカウントアップが止まり、再度電力供給が開始され、停電間隔時間を確認すると１００００時間（≧４０００時間）であるため、再びファン１を１５００ｒｐｍの回転数で駆動し圧損演算が行われる。そして、再び停電間隔時間を０からカウントアップしながら、使用者により換気運転が指示されると、先ほど演算した圧損値に応じた回転数（例えば８００ｒｐｍ）でファン１を駆動し、換気運転が行われる。その換気運転中に停電が発生すると、停電間隔時間のカウントアップが止まり、再度電力供給が開始され、停電間隔時間を確認すると１４時間（＜４０００時間）であるため、圧損演算＝否となり圧損演算は行われない。
【００８９】
そして記憶している圧損値に基づいた回転数で換気運転を行っている途中で停電、電力供給が開始されると、圧損演算＝否であるため圧損演算は行われない。引き続き記憶している圧損値に基づいた回転数で換気運転を行っている途中で停電、電力供給が開始され、停電間隔時間を確認すると６０００時間（≧４０００時間）であるが、圧損演算＝否となっているため、ここでも圧損演算は行われない。
【００９０】
このようにして、停電後の電力供給開始時に圧損の演算を行う浴室換気装置１１０で、商用電源１３と太陽光発電などの発電電力を基にした蓄電池１４とを朝と夕方に切り替えるような、１日の中で数回起こるような短い間隔（例えば、図１２のタイミングチャートでは１４時間や１０時間）で発生する停電の場合は圧損の演算を行わず、商用電源の停電のように１年に１回のような低い頻度で起こる長い間隔（例えば図１２のタイミングチャートでは１００００時間や６０００時間）の停電の場合は、圧損の演算を行うようできる。そのため、使用者の意図しないファンの高速回転動作が頻繁に発生することにより、使用者がうるさいと感じたり、誤動作と勘違いしたりすることを防ぐことが可能になるとともに、排気路４に埃などが堆積して長期間に渡って徐々に圧損が変化した場合には、圧損を覚え直して換気ファンの目標回転数を変更し、本来必要な換気風量を得ることが可能となる。
【００９１】
＜第６実施形態＞
次に、浴室換気装置の圧力損失演算の要否を判定する第６実施形態について説明する。
【００９２】
第６実施形態は、ファン１の駆動回数により圧損演算の要否を判断する点で、第１実施形態〜第５実施形態と異なる。
【００９３】
図１３は、本発明の第６実施形態にかかわる浴室換気装置１２０の構成を表すブロック図である。なお浴室換気装置１２０の以下で説明する構成以外の構成は、第１実施形態の浴室換気装置１００の構成と同様である。
【００９４】
浴室換気装置１２０は、制御部７に停電と次の停電との間に換気運転が何回行われたかをカウントする換気動作回数計数部１７を備え、電源部１２からの制御部７への電力供給が途絶えたことを検出する停電検出部１５より構成されている。
【００９５】
以上の構成において、第６実施形態の圧力損失演算の要否を判定する動作についてフローチャートにより説明する。図１４は浴室換気装置の圧力損失演算要否判定処理を表す制御フローチャートである。
【００９６】
まず制御部７は換気運転がオン状態かどうかをチェックし（Ｓ２４１）、オン状態であれば（Ｓ２４１：Ｙｅｓ）次に換気動作回数のカウントアップが済んだかどうかをチェックする（Ｓ２４２）。もしカウントアップされていなければ（Ｓ２４２：Ｎｏ）、換気動作回数計数部１７により換気動作回数のカウントアップを行い（Ｓ２４３）、カウントアップ済にフラグを設定する（Ｓ２４４）。そして停電が起こらず商用電源１３もしくは蓄電池１４からの電力供給が継続している状態であれば（Ｓ２４６：Ｎｏ）、そのまま換気運転を継続する。そして、再度換気運転がオン状態かどうかをチェックし（Ｓ２４１）、オン状態が継続していれば（Ｓ２４１：Ｙｅｓ）次に換気動作回数のカウントアップが済んだかどうかをチェックし（Ｓ２４２）、先ほどカウントアップ済になっているので（Ｓ２４２：Ｙｅｓ）、何もせずそのまま停電が起こったかをチェックし（Ｓ２４６）換気運転を継続する。これを繰り返しながら、使用者が換気運転をオフにすると（Ｓ２４１：Ｎｏ）、次の換気運転開始時に換気動作回数計数部１７により換気動作回数をカウントアップするためカウントアップ未にフラグを設定する（Ｓ２４５）。
【００９７】
上記の動作を繰り返しながら、そこで商用電源１３の停電、もしくは商用電源１３と蓄電池１４との切り替り時に停電が発生して（Ｓ２４６：Ｙｅｓ）、その後商用電源１３もしくは蓄電池１４からの電力供給が開始されると（Ｓ２４７）、制御部７は換気動作回数計数部１７によりカウントした換気動作回数が１８０回未満かどうかをチェックする（Ｓ２４８）。もし換気動作回数が１８０回以上であれば（Ｓ２４８：Ｎｏ）、圧力損失演算部９によりファン１の回転数が１５００ｒｐｍとなるようＤＣモータ２へ通電を行い、そのときのＤＣモータ２の通電電力とファン１の回転数より圧損値（例えば０〜２５５段階のレベル）を演算し（Ｓ２４９）、記憶手段１１に最新の圧損値を記憶する。続いて、換気動作回数計数部１７の換気動作回数を０にリセットする（Ｓ２５０）。そして、通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【００９８】
また、換気動作回数計数部１７でカウントした換気動作回数が１８０回未満であった場合（Ｓ２４８：Ｙｅｓ）、禁止部１０により圧力損失演算部９からＤＣモータ２への通電を禁止して圧損演算処理は行わないようにする。換気動作回数計数部１７の換気動作回数を０にリセットして（Ｓ２５０）、通常動作に移行するようになっている。
【００９９】
以上のフローチャートに従って制御された場合の、浴室換気装置の圧損演算動作の具体例について図１５のタイミングチャートを用いて説明する。
【０１００】
まず商用電源１３が投入される等により電力供給が開始されると、第二回転数として例えばファン１を１５００ｒｐｍの回転数で駆動し圧損演算を行う。続いて、使用者により換気運転が指示されると、第一回転数として先ほど求めた圧損値に応じた回転数（例えば８００ｒｐｍ）でファン１を駆動し、換気運転が行われ、換気動作回数を１にカウントアップする。その換気運転中に停電が発生し、再度電力供給が開始されると、換気動作回数が１回（＜１８０回）であるため圧損演算は行われない。そして使用者から換気運転を指示されると記憶している圧損値に基づいた回転数で換気運転を行う。
【０１０１】
引き続き記憶している圧損値に基づいた回転数で換気運転が繰り返され、換気動作回数が２００回となったところで、再び停電が発生し、再度電力供給が開始されると、換気動作回数が２００回（≧１８０回）であるため、再びファン１を１５００ｒｐｍの回転数で駆動し圧損演算が行われる。そして、再び使用者から換気運転を指示されると換気動作回数を１からカウントアップしていき、換気動作回数が１００となったところで、再び停電が発生し、再度電力供給が開始されると、換気動作回数が１００回（＜１８０回）であるため、今度は圧損演算が行われない。
【０１０２】
このようにして、停電後の電力供給開始時に圧損の演算を行う浴室換気装置１２０で、商用電源１３と太陽光発電などの発電電力を基にした蓄電池１４とを朝と夕方に切り替えるような、１日の中で数回起こるような停電の場合は、停電と次の停電との間の換気動作回数が０回から多くても数回程度であるため圧損の演算を行わず、商用電源の停電のように１年に１回といった少ない頻度で起こるような停電の場合は、停電と次の停電との間に１８０回以上の換気動作が行われるので圧損の演算を行うようになる。そのため、使用者の意図しないファンの高速回転動作が頻繁に発生することにより、使用者がうるさいと感じたり、誤動作と勘違いしたりすることを防ぐことが可能になるとともに、排気路４に埃などが堆積して長期間に渡って徐々に圧損が変化した場合には、圧損を覚え直して換気ファンの目標回転数を変更し、本来必要な換気風量を得ることが可能となる。
【０１０３】
＜第７実施形態＞
次に、浴室換気装置の圧力損失演算の要否を判定する第７実施形態について図１６のフローチャートを用いて説明する。
【０１０４】
第７実施形態は、ファン１の駆動回数により圧損演算の要否を判断する点で、第１実施形態〜第５実施形態と異なり、また、圧損演算要否の判断結果をフラグとしてセットする点で、第６実施形態と異なる。
【０１０５】
まず制御部７は換気運転がオン状態かどうかをチェックし（Ｓ２６１）、オン状態であれば（Ｓ２６１：Ｙｅｓ）次に換気動作回数のカウントアップが済んだかどうかをチェックする（Ｓ２６２）。もしカウントアップされていなければ（Ｓ２６２：Ｎｏ）、換気動作回数計数部１７により換気動作回数のカウントアップを行い（Ｓ２６３）、カウントアップ済にフラグを設定する（Ｓ２６４）。そして停電が起こらず商用電源１３もしくは蓄電池１４からの電力供給が継続している状態であれば（Ｓ２６６：Ｎｏ）、そのまま換気運転を継続する。そして、再度換気運転がオン状態かどうかをチェックし（Ｓ２６１）、オン状態が継続していれば（Ｓ２６１：Ｙｅｓ）次に換気動作回数のカウントアップが済んだかどうかをチェックし（Ｓ２６２）、先ほどカウントアップ済になっているので（Ｓ２６２：Ｙｅｓ）、何もせずそのまま停電が起こったかをチェックし（Ｓ２６６）換気運転を継続する。これを繰り返しながら、使用者が換気運転をオフにすると（Ｓ２６１：Ｎｏ）、次の換気運転開始時に換気動作回数計数部１７により換気動作回数をカウントアップするためカウントアップ未にフラグを設定する（Ｓ２６５）。
【０１０６】
上記の動作を繰り返しながら、そこで商用電源１３の停電、もしくは商用電源１３と蓄電池１４との切り替り時に停電が発生して（Ｓ２６６：Ｙｅｓ）、その後商用電源１３もしくは蓄電池１４からの電力供給が開始されると（Ｓ２６７）、制御部７は換気動作回数計数部１７によりカウントした換気動作回数が例えば１８０回未満かどうかをチェックする（Ｓ２６８）。もし換気動作回数が１８０回以上であれば（Ｓ２６８：Ｎｏ）、圧損の演算の要否を、後述するステップＳ２７１またはＳ２７２でセットする圧損演算要否フラグにて確認し（Ｓ２６９）、圧損演算が要であれば（Ｓ２６９：Ｙｅｓ）、圧力損失演算部９によりファン１の回転数が１５００ｒｐｍとなるようＤＣモータ２へ通電を行い、そのときのＤＣモータ２の通電電力とファン１の回転数より圧損値（例えば０〜２５５段階のレベル）を演算し（Ｓ２７０）、記憶手段１１に最新の圧損値を記憶する。そして禁止部１０は圧損演算＝要にフラグをセットして（Ｓ２７１）、圧力損失演算部９からＤＣモータ２への通電を行えるようにする。続いて、換気動作回数計数部１７の換気動作回数を０にリセットする（Ｓ２７３）。そして、通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【０１０７】
また、換気動作回数計数部１７でカウントした換気動作回数が１８０回以上であれば（Ｓ２６８：Ｙｅｓ）、禁止部１０は圧損演算＝否にフラグをセットして（Ｓ２７２）、圧力損失演算部９からＤＣモータ２への通電を禁止する。続いて、換気動作回数計数部１７の換気動作回数を０にリセットする（Ｓ２７３）。そして通常の浴室換気装置の動作に移行し使用者により換気運転の指示があった場合、記憶手段１１に記憶した圧損値に応じたファン１の回転数となるよう、換気制御部８によりＤＣモータ２を制御する。
【０１０８】
さらに、換気動作回数計数部１７でカウントした換気動作回数が１８０回以上の場合で（Ｓ２６８：Ｎｏ）、圧損演算の要否が否であったときは（Ｓ２６９：Ｎｏ）、今回の停電と停電の間では換気動作回数は多く、停電と停電との間隔が長かったが、以前起こった停電と停電との間隔が短く、商用電源１３と蓄電池１４との切り替りっている可能性があるため、禁止部１０は圧損演算＝要にフラグをセットして（Ｓ２７２）、圧力損失演算部９からＤＣモータ２への通電を禁止する。続いて、換気動作回数計数部１７の換気動作回数を０にリセットする（Ｓ２７３）。そして、通常の浴室換気装置の動作に移行し使用者により換気運転の指示があった場合、記憶手段１１に記憶した圧損値に応じたファン１の回転数となるよう、換気制御部８によりＤＣモータ２を制御する。
【０１０９】
以上のフローチャートに従って制御された場合の、浴室換気装置の圧損演算動作の具体例について図１７のタイミングチャートを用いて説明する。
【０１１０】
まず商用電源１３が投入される等により電力供給が開始されると、ファン１を第二回転数として例えば１５００ｒｐｍの回転数で駆動し圧損演算を行い。続いて、使用者により換気運転が指示されると、第一回転数として先ほど求めた圧損値に応じた回転数（例えば８００ｒｐｍ）でファン１を駆動し、換気運転が行われ、換気動作回数を１にカウントアップする。その後、換気運転が何度か繰り返され換気動作回数が２００回となったところで、再び停電が発生し、再度電力供給が開始されると、換気動作回数が２００回（≧１８０回）であるため、再びファン１を１５００ｒｐｍの回転数で駆動し圧損演算が行われる。
【０１１１】
再度使用者により換気運転が指示されると換気動作回数を１からカウントアップしていき、換気動作回数が２となったところで、再び停電が発生し、再度電力供給が開始されると、換気動作回数が２回（＜１８０回）であるため、今度は圧損演算＝否となり圧損演算が行われない。続いて、使用者から換気運転を指示されると、記憶している圧損値に基づいた回転数で換気運転を行うこととなる。そして引き続き記憶している圧損値に基づいた回転数で換気運転を繰り返し、換気動作回数が２００回となったところで、再び停電が発生し、再度電力供給が開始されると、換気動作回数が２００回（≧１８０回）であるが、圧損演算＝否となっているため、今度も圧損演算が行われない。
【０１１２】
このようにして、停電後の電力供給開始時に圧損の演算を行う浴室換気装置１２０で、商用電源１３と太陽光発電などの発電電力を基にした蓄電池１４とを朝と夕方に切り替えるような、１日の中で数回起こるような停電の場合は、停電と次の停電との間の換気動作回数が０回から多くても数回程度であるため圧損の演算を行わず、商用電源の停電のように１年に１回といった少ない頻度で起こるような停電の場合は、停電と次の停電との間に１８０回以上の換気動作が行われるので圧損の演算を行うようになる。そのため、使用者の意図しないファンの高速回転動作が頻繁に発生することにより、使用者がうるさいと感じたり、誤動作と勘違いしたりすることを防ぐことが可能になるとともに、排気路４に埃などが堆積して長期間に渡って徐々に圧損が変化した場合には、圧損を覚え直して換気ファンの目標回転数を変更し、本来必要な換気風量を得ることが可能となる。
【０１１３】
＜第８実施形態＞
次に、浴室換気装置の圧力損失演算の要否を判定する第８実施形態について図１８のフローチャートを用いて説明する。
【０１１４】
第８実施形態は、圧損演算を行った回数により圧損演算の要否を判断する点で、第１実施形態〜第７実施形態と異なる。
【０１１５】
図１の浴室換気装置１００の構成において、まず停電が起こらず商用電源１３もしくは蓄電池１４からの電力供給が継続していれば（Ｓ３０１：Ｎｏ）何も行わず通常動作を継続する。また商用電源１３の停電、もしくは商用電源１３と蓄電池１４との切り替り時に停電が発生し（Ｓ３０１：Ｙｅｓ）、その後商用電源１３もしくは蓄電池１４からの電力供給が開始されると（Ｓ３０２）、制御部７は圧損演算回数が例えば５回より小さいかを確認する（Ｓ３０３）。もし圧損回数が５回未満であれば（Ｓ３０３：Ｙｅｓ）、圧力損失演算部９によりファン１の回転数が１５００ｒｐｍとなるようＤＣモータ２へ通電を行い、そのときのＤＣモータ２の通電電力とファン１の回転数より圧損値（例えば０〜２５５段階のレベル）を演算し（Ｓ３０４）、圧損演算回数をカウントアップする（Ｓ３０５）。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【０１１６】
また、圧損演算回数が５回以上となった場合（Ｓ３０３：Ｎｏ）、禁止部１０により圧力損失演算部９からＤＣモータ２への通電を禁止して圧損演算処理は行わないようにする。そして通常の浴室換気装置の動作に移行するようになっている。
【０１１７】
以上のフローチャートに従って制御された場合の、浴室換気装置の圧損演算動作の具体例について図１９のタイミングチャートを用いて説明する。
【０１１８】
まず商用電源１３が投入される等により電力供給が開始されると、ファン１を第二回転数として例えば１５００ｒｐｍの回転数で駆動し圧損演算を行い、圧損演算回数を１にカウントアップする。続いて、再び設置後の試運転として電力供給の遮断、開始が行われると、再びファン１を１５００ｒｐｍの回転数で駆動し圧損演算を行い、圧損演算回数を２にカウントアップする。
【０１１９】
このように電力供給の遮断および開始を繰り返しながら、圧損演算回数が５までカウントアップされると、以降の次の電力供給の遮断および開始では圧損演算が行われなくなる。そして使用者により換気運転が指示されると、第一回転数として５回目に行った圧損演算値に応じた回転数（例えば８００ｒｐｍ）により換気運転を行う。
【０１２０】
このようにして、停電後の電力供給開始時に圧損の演算を行う浴室換気装置１００で、設置後から停電が５回発生するまでは圧損演算を行うため、浴室換気装置を設置後に一旦試運転を行った後、追加工事などにより圧力損失が変化したとしても正しい圧力損失を演算でき、６回目以降の停電発生時には圧損演算を行わなくなる。そのため、使用者の意図しないファンの高速回転動作が頻繁に発生することにより、使用者がうるさいと感じたり、誤動作と勘違いしたりすることを防ぐことが可能になる。
【０１２１】
＜第９実施形態＞
次に、浴室換気装置の圧力損失演算の要否を判定する第９実施形態について図２０のフローチャートを用いて説明する。
【０１２２】
第９実施形態は、圧損演算を行った回数により圧損演算の要否を判断する点で、第１実施形態〜第７実施形態と異なり、また、圧損演算要否の判断結果をフラグとしてセットする点で、第８実施形態と異なる。
【０１２３】
図１の浴室換気装置１００の構成において、まず停電が起こらず商用電源１３もしくは蓄電池１４からの電力供給が継続していれば（Ｓ３２１：Ｎｏ）何も行わず通常動作を継続する。また商用電源１３の停電、もしくは商用電源１３と蓄電池１４との切り替り時に停電が発生して（Ｓ３２１：Ｙｅｓ）、その後商用電源１３もしくは蓄電池１４からの電力供給が開始されると（Ｓ３２２）、制御部７は圧損演算の要否を、後述するステップＳ３２７またはＳ３２８でセットする圧損演算要否フラグにて確認し（Ｓ３２３）、圧損演算が要であれば（Ｓ３２３：Ｙｅｓ）、圧損演算回数が例えば５回より小さいかを確認する（Ｓ３２４）。もし圧損回数が５回未満であれば（Ｓ３２４：Ｙｅｓ）、圧力損失演算部９によりファン１の回転数が１５００ｒｐｍとなるようＤＣモータ２へ通電を行い、そのときのＤＣモータ２の通電電力とファン１の回転数より圧損値（例えば０〜２５５段階のレベル）を演算し（Ｓ３２５）、圧損演算回数のカウントアップを行う（Ｓ３２６）。そして禁止部１０は圧損演算＝要にフラグをセットして（Ｓ３２７）、圧力損失演算部９からＤＣモータ２への通電を行えるようにする。そして、通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【０１２４】
また、圧損演算の要否が否であったときは（Ｓ３２３：Ｎｏ）、禁止部１０は圧損演算＝否にフラグをセットして（Ｓ３２８）、圧力損失演算部９からＤＣモータ２への通電を禁止し、圧損演算回数を０にリセットする（Ｓ３２９）。そして通常の浴室換気装置の動作に移行し使用者により換気運転の指示があった場合、記憶手段１１に記憶した圧損値に応じたファン１の回転数となるよう、換気制御部８によりＤＣモータ２を制御する。
【０１２５】
さらに、圧損演算の要否が要であった場合で（Ｓ３２３：Ｙｅｓ）、圧損演算回数が５回以上となったときも（Ｓ３２４：Ｎｏ）、同様に禁止部１０は圧損演算＝否にフラグをセットして（Ｓ３２８）、圧力損失演算部９からＤＣモータ２への通電を禁止し、圧損演算回数を０にリセットする（Ｓ３２９）。そして通常の浴室換気装置の動作に移行し使用者により換気運転の指示があった場合、記憶手段１１に記憶した圧損値に応じたファン１の回転数となるよう、換気制御部８によりＤＣモータ２を制御する。
【０１２６】
以上のフローチャートに従って制御された場合の浴室換気装置は、図１９のタイミングチャートと同様の圧損演算動作を行うこととなる。
【０１２７】
このようにして、停電後の電力供給開始時に圧損の演算を行う浴室換気装置１００で、設置後から停電が５回発生するまでは圧損演算を行うため、浴室換気装置を設置後に一旦試運転を行った後、追加工事などにより圧力損失が変化したとしても正しい圧力損失を演算でき、６回目以降の停電発生時には圧損演算を行わなくなる。そのため、使用者の意図しないファンの高速回転動作が頻繁に発生することにより、使用者がうるさいと感じたり、誤動作と勘違いしたりすることを防ぐことが可能になる。
【０１２８】
＜第１０実施形態＞
次に、浴室換気装置の圧力損失演算の要否を判定する第１０実施形態について説明する。
【０１２９】
第１０実施形態は、通電時間により圧損演算の要否を判断する点で、第１実施形態〜第９実施形態と異なる。
【０１３０】
図２１は、本発明の第６実施形態にかかわる浴室換気装置１３０の構成を表すブロック図である。なお浴室換気装置１３０の以下で説明する構成以外の構成は、第１実施形態の浴室換気装置１００の構成と同様である。
【０１３１】
浴室換気装置１３０は、制御部７に電源部１２から電力が供給されている時間を計測する通電時間計時部１８を備え、電源部１２からの制御部７への電力供給が途絶えたことを検出する停電検出部１５より構成されている。
【０１３２】
以上の構成において、第１０実施形態の圧力損失演算の要否を判定する動作についてフローチャートにより説明する。図２２は浴室換気装置の圧力損失演算要否判定処理を表す制御フローチャートである。
【０１３３】
まず停電が起こらず商用電源１３もしくは蓄電池１４からの電力供給が継続している状態で通電時間計時部１８は通電時間をカウントアップしながら（Ｓ３４１、Ｓ３４２：Ｎｏ）、通常の浴室換気装置の動作を継続する。そこで商用電源１３の停電、もしくは商用電源１３と蓄電池１４との切り替り時に停電が発生して（Ｓ３４２：Ｙｅｓ）、その後商用電源１３もしくは蓄電池１４からの電力供給が開始されると（Ｓ３４３）、制御部７は圧損演算の要否を、後述するステップＳ３５１またはＳ３５２でセットする圧損演算要否フラグにて確認し（Ｓ３４４）、圧損演算が否であれば（Ｓ３４４：Ｎｏ）、禁止部１０は圧損演算＝否にフラグをセットして（Ｓ３５２）、圧力損失演算部９からＤＣモータ２への通電を禁止する。
【０１３４】
もし圧損演算が要であれば（Ｓ３４４：Ｙｅｓ）、圧力損失演算部９によりファン１の回転数が１５００ｒｐｍとなるようＤＣモータ２へ通電を行い、そのときのＤＣモータ２の通電電力とファン１の回転数より圧損値（例えば０〜２５５段階のレベル）を演算し（Ｓ３４５）、記憶手段１１に最新の圧損値を記憶する。つぎに圧損演算回数のカウントアップを行い（Ｓ３４６）、圧損演算回数が例えば３回以上かを確認し（Ｓ３４７）、圧損演算回数が３回未満であれば（Ｓ３４７：Ｎｏ）、禁止部１０は圧損演算＝要にフラグをセットして（Ｓ３５１）、圧力損失演算部９からＤＣモータ２への通電を行えるようにする。そして、通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【０１３５】
もし圧損演算回数が３回以上であれば（Ｓ３４７：Ｙｅｓ）、圧損演算回数を０にリセットする（Ｓ３４８）。そして、通電時間計時部１８でカウントした通電時間が例えば４０００時間より短いかをチェックし（Ｓ３４９）、４０００時間以上であれば（Ｓ３４９：Ｎｏ）、通電時間を０にリセットし（Ｓ３５０）、禁止部１０は圧損演算＝要にフラグをセットして（Ｓ３５１）、圧力損失演算部９からＤＣモータ２への通電を行えるようにする。そして、通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【０１３６】
また、通電時間計時部１８でカウントした通電時間が４０００時間未満であったときは（Ｓ３４９：Ｙｅｓ）、禁止部１０は圧損演算＝否にフラグをセットして（Ｓ３５２）、圧力損失演算部９からＤＣモータ２への通電を禁止する。そして、通常の浴室換気装置の動作に移行し使用者により換気運転の指示があった場合、記憶手段１１に記憶した圧損値に応じたファン１の回転数となるよう、換気制御部８によりＤＣモータ２を制御する。
【０１３７】
以上のフローチャートに従って制御された場合の、浴室換気装置の圧損演算動作の具体例について図２３のタイミングチャートを用いて説明する。
【０１３８】
まず商用電源１３が投入される等により電力供給が開始されると、ファン１を第二回転数として例えば１５００ｒｐｍの回転数で駆動し圧損演算を行い、圧損演算回数を１にカウントアップし、通電時間のカウントアップを始める。続いて、通電時間のカウントアップを継続しながら、使用者により換気運転が指示されると、第一回転数として先ほど求めた圧損値に応じた回転数（例えば８００ｒｐｍ）でファン１を駆動し、換気運転が行われる。その後再び停電が発生し、再度電力供給が開始されると、ファン１を１５００ｒｐｍの回転数で駆動し圧損演算を行い、圧損演算回数を２にカウントアップし、通電時間のカウントアップを継続する。続いて、通電時間のカウントアップを継続しながら、使用者により換気運転が指示されると、先ほど求めた圧損値に応じた回転数（例えば８００ｒｐｍ）でファン１を駆動し、換気運転が行われる。そして再び停電が発生し、再度電力供給が開始されると、ファン１を１５００ｒｐｍの回転数で駆動し圧損演算を行い、圧損演算回数を３にカウントアップする。そして通電時間をチェックすると９０００時間（≧４０００時間）であるため、圧損演算＝要となり、次回以降の電力供給開始時にも圧損演算が行われる。
【０１３９】
そして通電時間を０からカウントアップし直しながら、再び停電が発生し、再度電力供給が開始されると、ファン１を１５００ｒｐｍの回転数で駆動し圧損演算を行い、圧損演算回数を１にカウントアップし、通電時間のカウントアップを継続する。続いて、通電時間のカウントアップを継続しながら、使用者により換気運転が指示されると、先ほど求めた圧損値に応じた回転数（例えば８００ｒｐｍ）でファン１を駆動し、換気運転が行われる。そして再び停電が発生し、再度電力供給開始された時に圧損の演算が行われ、この動作が繰り返されて圧損演算回数が３にカウントアップされると、このとき通電時間は１００時間（＜４０００時間）であるため、圧損演算＝否となる。そして以降の電力供給の遮断、開始では圧損演算＝否となっているため、圧損演算は行われない。
【０１４０】
このようにして、停電後の電力供給開始時に圧損の演算を行う浴室換気装置１３０で、商用電源１３と太陽光発電などの発電電力を基にした蓄電池１４とを朝と夕方に切り替えるような、１日の中で数回起こるような停電の場合は、４０００時間以内に３回以上の停電が発生するため、圧損演算を３回行えば、以降の停電発生時には圧損演算を行わなくなる。そのため、使用者の意図しないファンの高速回転動作が頻繁に発生することにより、使用者がうるさいと感じたり、誤動作と勘違いしたりすることを防ぐことが可能になる。
【０１４１】
＜第１１実施形態＞
次に、浴室換気装置の圧力損失演算の要否を判定する第１１実施形態について図２４のフローチャートを用いて説明する。
【０１４２】
第１１実施形態は、浴室換気装置の圧力損失演算を行わなくなった後、電力供給開始回数により再度圧力損失の演算を行うようにする点で第１実施形態〜第１０実施形態と異なる。
【０１４３】
まず禁止部１０による圧損演算要否の状態がどのようになっているかを圧損演算要否フラグにてチェックし（Ｓ４０１）、圧損演算＝要であれば（Ｓ４０１：Ｎｏ）そのまま通常の浴室換気装置の動作を継続する。もし圧損演算＝否であれば（Ｓ４０１：Ｙｅｓ）、続いて、商用電源１３の停電、もしくは商用電源１３と蓄電池１４との切り替り時に停電が発生していないかをチェックし（Ｓ４０２）、停電の発生がなければ（Ｓ４０２：Ｎｏ）、そのまま通常の浴室換気装置の動作を継続する。
【０１４４】
もし停電の発生があった場合（Ｓ４０２：Ｙｅｓ）、その後商用電源１３もしくは蓄電池１４からの電力供給が開始されると（Ｓ４０３）、制御部７は電力供給開始回数ｎをカウントアップし（Ｓ４０４）、続いて、電力供給開始回数ｎが例えば３６０未満かどうかをチェックする（Ｓ４０５）。もし電力供給開始回数ｎが３６０未満であれば（Ｓ４０５：Ｙｅｓ）、禁止部１０は圧損演算＝否にフラグをセットして（Ｓ４０６）、圧力損失演算部９からＤＣモータ２への通電禁止を継続する。また電力供給開始回数ｎが３６０以上の場合（Ｓ４０５：Ｎｏ）、禁止部１０は圧損演算＝要にフラグをセットして（Ｓ４０７）、圧力損失演算部９からＤＣモータ２への通電を行えるようにし、電力供給開始回数ｎを０にクリアする（Ｓ４０８）。
【０１４５】
以上のフローチャートに従って制御された場合の、浴室換気装置の圧損演算動作の具体例について図２５のタイミングチャートを用いて説明する。
【０１４６】
まず商用電源１３が投入される等により電力供給が開始されると、最初は圧損演算＝要となっているのでファン１を第二回転数として例えば１５００ｒｐｍの回転数で駆動し圧損演算を行う。その後再び停電が発生し、再度電力供給が開始されると、同様にファン１を１５００ｒｐｍの回転数で駆動し圧損演算を行うという動作を繰り返す。そして電力供給の遮断、開始が発生したときに、図１〜図２３で説明したいずれかの制御により圧損演算＝否という条件が成立すると、圧損演算は行われず、そこから電力供給開始回数のカウントアップが始まる。
【０１４７】
以降、停電が発生し、電力供給開始が発生するたびに、圧損演算は行われず、電力供給開始回数が２、３、・・・３５９とカウントアップされていき、圧損演算が行われなくなってから３６０回目の停電、電力供給開始が発生したところで、圧損演算＝要となる。そして次の停電が発生し電力供給が開始されると、ファン１を１５００ｒｐｍの回転数で駆動し、圧損演算が行われる。そして、再び図１〜図２３で説明したいずれかの制御により圧損演算＝否という条件が成立するまで、停電後の電力供給開始時に圧損演算が行われるようになる。
【０１４８】
このようにして、停電後の電力供給開始時に圧損の演算を行う浴室換気装置１００、１１０、１２０または１３０で、停電後に電力供給開始されても圧損演算を行わない状態に一旦なっている場合でも、商用電源１３と太陽光発電などの発電電力を基にした蓄電池１４とが定期的に切り替るような場合、数ヶ月以上のある程度の期間使用していれば、停電後の電力供給開始時に圧損演算を再度行うようになる。そのため、排気路４に埃や木の葉などの異物が溜まったりして圧力損失が変わってしまった場合、一時的に正しくない圧力損失を基に換気運転を行ったとしても、正しい圧力損失を演算しなおして換気ファンの目標回転数を変更し、換気風量を目標値どおりにすることが可能となる。
【０１４９】
＜第１２実施形態＞
次に、浴室換気装置の圧力損失演算の要否を判定する第１２実施形態について図２６のフローチャートを用いて説明する。
【０１５０】
第１２実施形態は、浴室換気装置の圧力損失演算を行わなくなった後、通電時間により再度圧力損失の演算を行うようにする点で第１実施形態〜第１１実施形態と異なる。
【０１５１】
まず禁止部１０による圧損演算要否の状態がどのようになっているかを圧損演算要否フラグにてチェックし（Ｓ４２１）、圧損演算＝要であれば（Ｓ４２１：Ｎｏ）そのまま通常の浴室換気装置の動作を継続する。もし圧損演算＝否であれば（Ｓ４２１：Ｙｅｓ）、続いて、通電時間が例えば４０００時間以上となったかどうかをチェックする（Ｓ４２２）。もし４０００時間未満であれば通電時間をカウントアップし（Ｓ４２３）、禁止部１０は圧損演算＝否にフラグをセットして（Ｓ４２４）、圧力損失演算部９からＤＣモータ２への通電を禁止する。もし通電時間が４０００時間以上であった場合は（Ｓ４２２：Ｙｅｓ）、禁止部１０は圧損演算＝要にフラグをセットして（Ｓ４２５）、圧力損失演算部９からＤＣモータ２への通電を行えるようにし、通電時間を０時間にクリアする（Ｓ４２６）。
【０１５２】
以上のフローチャートに従って制御された場合の、浴室換気装置の圧損演算動作の具体例について図２７のタイミングチャートを用いて説明する。
【０１５３】
まず商用電源１３が投入される等により電力供給が開始されると、最初は圧損演算＝要となっているのでファン１を第二回転数として例えば１５００ｒｐｍの回転数で駆動し圧損演算を行う。その後再び停電が発生し、再度電力供給が開始されると、同様にファン１を１５００ｒｐｍの回転数で駆動し圧損演算を行うという動作を繰り返す。そして電力供給の遮断、開始が発生したときに、図１〜図２３で説明したいずれかの制御により圧損演算＝否という条件が成立すると、圧損演算は行われず、通電時間が０からカウントアップされ始める。
【０１５４】
以降、使用者の指示により換気運転を行いながら動作を継続し、停電、電力供給の開始があっても、圧損演算は行われないことになる。そして電力供給されている間、通電時間がカウントアップされていき、通電時間が４０００時間になる。そして通電時間が４０００時間以上となってから、最初の停電が発生し電力供給が開始されると、ファン１を１５００ｒｐｍの回転数で駆動し、圧損演算が行われる。そして、再び図１〜図２３で説明したいずれかの制御により圧損演算＝否という条件が成立するまで、停電後の電力供給開始時に圧損演算が行われるようになる。
【０１５５】
このようにして、停電後の電力供給開始時に圧損の演算を行う浴室換気装置１００、１１０、１２０または１３０で、一旦停電後に電力供給開始されても圧損演算を行わない状態になっている場合でも、例えば圧損演算が否となっている状態での通電時間が４０００時間を越えると、停電後の電力供給開始時に圧損演算を再度行うようになる。そのため、排気路４に埃や木の葉などの異物が溜まったりして圧力損失が変わってしまった場合、一時的に正しくない圧力損失を基に換気運転を行ったとしても、正しい圧力損失を演算しなおして換気ファンの目標回転数を変更し、換気風量を目標値どおりにすることが可能となる。
【０１５６】
＜第１３実施形態＞
次に、浴室換気装置の圧力損失演算の要否を判定する第１３実施形態について図２８のフローチャートを用いて説明する。
【０１５７】
第１３実施形態は、浴室換気装置の圧力損失演算を行わなくなった後、通電時間により再度圧力損失の演算を行うようにする点で第１実施形態〜第１１実施形態と異なり、また圧力損失の演算を行う条件が成立している間も通電時間の積算を行う点で第１２実施形態と異なる。
【０１５８】
まず禁止部１０による圧損演算要否の状態がどのようになっているかを圧損演算要否フラグにてチェックし（Ｓ４４１）、圧損演算＝要であれば（Ｓ４４１：Ｎｏ）、通電時間のカウントアップを行い（Ｓ４４４）、そのまま通常の浴室換気装置の動作を継続する。もし圧損演算＝否であれば（Ｓ４４１：Ｙｅｓ）、続いて、通電時間が例えば４０００時間以上となったかどうかをチェックする（Ｓ４４２）。もし４０００時間未満であれば（Ｓ４４２：Ｎｏ）禁止部１０は圧損演算＝否にフラグをセットして（Ｓ４４３）、圧力損失演算部９からＤＣモータ２への通電を禁止し、通電時間のカウントアップを行い（Ｓ４４４）、そのまま通常の浴室換気装置の動作を継続する。もし通電時間が４０００時間以上であった場合は（Ｓ４４２：Ｙｅｓ）、禁止部１０は圧損演算＝要にフラグをセットして、（Ｓ４４５）圧力損失演算部９からＤＣモータ２への通電を行えるようにし、通電時間を０時間にクリアする（Ｓ４４６）。
【０１５９】
以上のフローチャートに従って制御された場合の、浴室換気装置の圧損演算動作の具体例について図２９のタイミングチャートを用いて説明する。
【０１６０】
まず商用電源１３が投入される等により電力供給が開始されると、通電時間が０からカウントアップされ始め、また最初は圧損演算＝要となっているのでファン１を第二回転数として例えば１５００ｒｐｍの回転数で駆動し圧損演算を行う。その後再び停電が発生し、再度電力供給が開始されると、同様にファン１を１５００ｒｐｍの回転数で駆動し圧損演算を行う、という動作を繰り返す。そして電力供給の遮断、開始が発生したときに、図１〜図２３で説明したいずれかの制御により圧損演算＝否という条件が成立すると、圧損演算は行われなくなる。
【０１６１】
以降、使用者の指示により換気運転を行いながら動作を継続し、停電、電力供給の開始があっても、圧損演算は行われないことになる。そして電力供給されている間、通電時間がカウントアップされていき、通電時間が４０００時間になる。そして通電時間が４０００時間以上となってから、最初の停電が発生し電力供給が開始されると、ファン１を１５００ｒｐｍの回転数で駆動し、再び圧損演算が行われる。そして、再び図１〜図２３で説明したいずれかの制御により圧損演算＝否という条件が成立するまで、停電後の電力供給開始時に圧損演算が行われるようになる。
【０１６２】
このようにして、停電後の電力供給開始時に圧損の演算を行う浴室換気装置１００、１１０、１２０または１３０で、停電後に電力供給開始されても圧損演算を行わない状態に一旦なっている場合でも、例えば圧損演算の要否の状態に関係なく通電時間が４０００時間を越えると、停電後の電力供給開始時に圧損演算を再度行うようになる。そのため、排気路４に埃や木の葉などの異物が溜まったりして圧力損失が変わってしまった場合、一時的に正しくない圧力損失を基に換気運転を行ったとしても、正しい圧力損失を演算し直して換気ファンの目標回転数を変更し、換気風量を目標値どおりにすることが可能となる。
【０１６３】
＜第１４実施形態＞
次に、浴室換気装置の圧力損失演算の要否を判定する第１４実施形態について図３０のフローチャートを用いて説明する。
【０１６４】
第１４実施形態は、浴室換気装置の圧力損失演算を行わなくなった後、換気運転時間により再度圧力損失の演算を行うようにする点で第１実施形態〜第１３実施形態と異なる。
【０１６５】
まず禁止部１０による圧損演算要否の状態がどのようになっているかを圧損演算要否フラグにてチェックし（Ｓ４６１）、圧損演算＝要であれば（Ｓ４６１：Ｎｏ）、そのまま通常の浴室換気装置の動作を継続する。もし圧損演算＝否であれば（Ｓ４６１：Ｙｅｓ）、続いて、換気運転中かどうかのチェックを行い（Ｓ４６２）、換気運転中でなければ（Ｓ４６２：Ｎｏ）、同様にそのまま通常の浴室換気装置の動作を継続する。
【０１６６】
換気運転中であった場合（Ｓ４６２：Ｙｅｓ）、換気運転時間が例えば４０００時間以上となったかどうかをチェックする（Ｓ４６３）。もし４０００時間未満であれば（Ｓ４６３：Ｎｏ）換気運転時間のカウントアップを行い（Ｓ４６４）、禁止部１０は圧損演算＝否にフラグをセットして（Ｓ４６５）、圧力損失演算部９からＤＣモータ２への通電を禁止し、そのまま通常の浴室換気装置の動作を継続する。もし通電時間が４０００時間以上であった場合は（Ｓ４６３：Ｙｅｓ）、禁止部１０は圧損演算＝要にフラグをセットして（Ｓ４６６）、圧力損失演算部９からＤＣモータ２への通電を行えるようにし、そして換気運転時間を０時間にクリアする（Ｓ４６７）。
【０１６７】
以上のフローチャートに従って制御された場合の、浴室換気装置の圧損演算動作の具体例について図３１のタイミングチャートを用いて説明する。
【０１６８】
まず商用電源１３が投入される等により電力供給が開始されると、圧損演算＝要となっているのでファン１を第二回転数として例えば１５００ｒｐｍの回転数で駆動し圧損演算を行う。その後再び停電が発生し、再度電力供給が開始されると、同様にファン１を１５００ｒｐｍの回転数で駆動し圧損演算を行うという動作を繰り返す。そして電力供給の遮断、開始が発生したときに、図１〜図２３で説明したいずれかの制御により圧損演算＝否という条件が成立すると、圧損演算は行われなくなる。
【０１６９】
以降、停電、電力供給の開始があっても、圧損演算は行われないことになる。そして使用者により換気運転が指示されると、第一回転数として直前に記憶した圧損値に応じたファン１の回転数（例えば８００ｒｐｍ）により換気運転が行われ、その換気運転が行われている間、換気運転時間がカウントアップされていき、ここでは２４時間換気運転により連続で２０００時間換気運転が継続されたとする。そして使用者により一旦換気運転が停止され、再び使用者により２４時間換気運転が再開され、再開されてから１５００時間経過したところで、停電、電力供給の開始が発生する。しかしこの時点で換気運転時間は３５００時間（＜４０００時間）であるため、圧損演算を再び行う条件を満たしておらず、圧損演算＝否のままであるため、圧損演算は行われない。
【０１７０】
そして再び使用者により換気運転が指示されると、記憶している圧損値に応じたファン１の回転数（例えば８００ｒｐｍ）により換気運転が行われ、今回の換気運転が５００時間に到達すると、換気運転時間が合計で４０００時間となり、その時点で圧損演算＝要となり、換気運転時間は０にクリアされる。圧損演算＝要となってから最初の停電が発生し電力供給が開始されると、ファン１を１５００ｒｐｍの回転数で駆動し、再び圧損演算が行われる。そして、再び図１〜図２３で説明したいずれかの制御により圧損演算＝否という条件が成立するまで、停電後の電力供給開始時に圧損演算が行われるようになる。
【０１７１】
このようにして、停電後の電力供給開始時に圧損の演算を行う浴室換気装置１００、１１０、１２０または１３０で、一旦停電後に電力供給開始されても圧損演算を行わない状態になっている場合でも、例えば圧損演算が要となっている状態での換気運転時間が４０００時間を越えると、停電後の電力供給開始時に圧損演算を再度行うようになる。そのため、排気路４に埃や木の葉などの異物が溜まったりして圧力損失が変わってしまった場合、一時的に正しくない圧力損失を基に換気運転を行ったとしても、正しい圧力損失を演算しなおして換気ファンの目標回転数を変更し、換気風量を目標値どおりにすることが可能となる。
【０１７２】
＜第１５実施形態＞
次に、浴室換気装置の圧力損失演算の要否を判定する第１５実施形態について図３２のフローチャートを用いて説明する。
【０１７３】
第１５実施形態は、浴室換気装置の圧力損失演算を行わなくなった後、換気運転時間により再度圧力損失の演算を行うようにする点で第１実施形態〜第１３実施形態と異なり、また圧力損失の演算を行う条件が成立している間も換気運転時間の積算を行う点で第１２実施形態と異なる。
【０１７４】
まず禁止部１０による圧損演算要否の状態がどのようになっているかを圧損演算要否フラグにてチェックし（Ｓ４８１）、圧損演算＝要であれば（Ｓ４８１：Ｎｏ）、続いて、換気運転中かどうかのチェックを行い（Ｓ４８４）、換気運転中でなければ（Ｓ４８４：Ｎｏ）、そのまま通常の浴室換気装置の動作を継続する。換気運転中であった場合は（Ｓ４８４：Ｙｅｓ）、換気運転時間をカウントアップし（Ｓ４８５）、同様にそのまま通常の浴室換気装置の動作を継続する。
【０１７５】
戻って、圧損演算＝否であった場合（Ｓ４８１：Ｙｅｓ）、続いて、換気運転時間が例えば４０００時間以上となったかどうかをチェックする（Ｓ４８２）。もし４０００時間未満であれば（Ｓ４８２：Ｎｏ）、禁止部１０は圧損演算＝否にフラグをセットして（Ｓ４８３）、圧力損失演算部９からＤＣモータ２への通電を禁止する。続いて、換気運転中かどうかのチェックを行い（Ｓ４８４）、換気運転中でなければ（Ｓ４８４：Ｎｏ）、そのまま通常の浴室換気装置の動作を継続する。また換気運転中であった場合は（Ｓ４８４：Ｙｅｓ）、換気運転時間をカウントアップし（Ｓ４８５）、同様にそのまま通常の浴室換気装置の動作を継続する。もし、圧損演算＝否で換気運転時間が４０００時間未満であった場合は（Ｓ４８１：Ｙｅｓ、Ｓ４８２：Ｙｅｓ）、禁止部１０は圧損演算＝要にフラグをセットして（Ｓ４８６）、圧力損失演算部９からＤＣモータ２への通電を行えるようにし、換気運転時間を０時間にクリアする（Ｓ４８７）。
【０１７６】
以上のフローチャートに従って制御された場合の、浴室換気装置の圧損演算動作の具体例について図３３のタイミングチャートを用いて説明する。
【０１７７】
まず商用電源１３が投入される等により電力供給が開始されると、圧損演算＝要となっているので、ファン１を第二回転数として例えば１５００ｒｐｍの回転数で駆動し圧損演算を行う。そして使用者により換気運転が指示されると、第一回転数として直前に記憶した圧損値に応じたファン１の回転数（例えば８００ｒｐｍ）により換気運転が行われ、その換気運転が行われている間、換気運転時間がカウントアップされていく。そして２４時間換気運転により連続で５０時間換気運転が継続した時点で停電が発生し、再度電力供給が開始されると、同様にファン１を１５００ｒｐｍの回転数で駆動し圧損演算を行う。そして再び使用者により換気運転が指示され、ここでは１５０時間換気運転が行われたところで、また電力供給の遮断、開始が発生したとする。このとき図１〜図２３で説明したいずれかの制御により圧損演算＝否という条件が成立すると、圧損演算は行われなくなる。
【０１７８】
以降、停電、電力供給の開始があっても、圧損演算は行われないことになる。そして使用者により換気運転が指示されると、直前に記憶した圧損値に応じたファン１の回転数（例えば８００ｒｐｍ）により換気運転が行われ、その換気運転が行われている間、換気運転時間がカウントアップされていき、２４時間換気運転により連続で２０００時間換気運転が継続される。そして使用者により一旦換気運転が停止され、再び使用者により２４時間換気運転が再開され、再開されてから１５００時間経過したところで、停電、電力供給の開始が発生する。しかしこの時点で換気運転時間は３７００時間（＜４０００時間）であるため、圧損演算を再び行う条件を満たしておらず、圧損演算＝否のままであるため、圧損演算は行われない。
【０１７９】
そして再び使用者により換気運転が指示されると、記憶している圧損値に応じたファン１の回転数（例えば８００ｒｐｍ）により換気運転が行われ、今回の換気運転が３００時間に到達すると、換気運転時間が合計で４０００時間となり、その時点で圧損演算＝要となり、換気運転時間は０にクリアされる。そして、圧損演算＝要となってから最初の停電が発生し電力供給が開始されると、ファンを１５００ｒｐｍの回転数で駆動し、再び圧損演算が行われる。そして、再び図１〜図２３で説明したいずれかの制御により圧損演算＝否という条件が成立するまで、停電後の電力供給開始時に圧損演算が行われるようになる。
【０１８０】
このようにして、停電後の電力供給開始時に圧損の演算を行う浴室換気装置１００、１１０、１２０または１３０で、一旦停電後に電力供給開始されても圧損演算を行わない状態になっている場合でも、例えば圧損演算の要否の状態に関係なく換気運転時間が４０００時間を越えると、停電後の電力供給開始時に圧損演算を再度行うようになる。そのため、排気路４に埃や木の葉などの異物が溜まったりして圧力損失が変わってしまった場合、一時的に正しくない圧力損失を基に換気運転を行ったとしても、正しい圧力損失を演算しなおして換気ファンの目標回転数を変更し、換気風量を目標値どおりにすることが可能となる。
【０１８１】
＜第１６実施形態＞
次に、浴室換気装置の圧力損失演算の要否を判定する第１６実施形態について図３４および図３５のフローチャートを用いて説明する。
【０１８２】
第１６実施形態は、圧力損失の差の大きさによって、圧力損失演算を行わなくなってから再度圧力損失の演算を行うようになるまでの電力供給開始回数を可変させる点で、第１実施形態〜第１５実施形態と異なる。
【０１８３】
図３４のフローチャートにおいて、まず停電が起こらず商用電源１３もしくは蓄電池１４からの電力供給が継続していれば（Ｓ５０１：Ｎｏ）、何も行わず通常動作を継続する。また商用電源１３の停電、もしくは商用電源１３と蓄電池１４との切り替り時に停電が発生して（Ｓ５０１：Ｙｅｓ）、その後商用電源１３もしくは蓄電池１４からの電力供給が開始されると（Ｓ５０２）、制御部７は電力供給開始回数Ｎをカウントアップする（Ｓ５０３）。そして圧損の演算の要否を、後述するステップＳ５０９またはＳ５１３でセットする圧損演算要否フラグにて確認し（Ｓ５０４）、圧損演算が要であれば（Ｓ５０４：Ｙｅｓ）、圧力損失演算部９によりファン１の回転数が例えば１５００ｒｐｍとなるようＤＣモータ２へ通電を行い、そのときのＤＣモータ２の通電電力とファン１の回転数より圧損値（例えば０〜２５５段階のレベル）を演算し（Ｓ５０５）、記憶手段１１に最新の圧損値を記憶する。続いて、電力供給開始回数Ｎが例えば５以上（Ｎ≧５）となったかをチェックし（Ｓ５０６）、５回未満であれば（Ｓ５０６：Ｎｏ）、禁止部１０は圧損演算＝要にフラグをセットして（Ｓ５１３）、圧力損失演算部９からＤＣモータ２への通電を行えるようにする。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【０１８４】
以上の動作を繰り返しながら圧損演算を５回行い、電力供給開始回数Ｎが５回になったら（Ｓ５０６：Ｙｅｓ）、最新の５回目（Ｎ回目）に演算した圧損値と、前回の４回目（Ｎ−１回目）に演算した圧損値との差の絶対値、すなわち圧損の差を求める（Ｓ５０７）。もし圧損の差が２を超えていれば（Ｓ５０８：Ｎｏ）、圧損がまだ変化しているため、次回の電力供給開始時にも圧損を演算する必要があるので、禁止部１０は圧損演算＝要にフラグをセットして（Ｓ５１３）、圧力損失演算部９からＤＣモータ２への通電を行えるようにする。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【０１８５】
もし５回目の圧損と、４回目の圧損との差の絶対値（圧損の差）が２以下であれば（Ｓ５０８：Ｙｅｓ）、圧損が安定しているため次回の停電後の電力供給開始時には圧損を演算する必要がないので、禁止部１０は圧損演算＝否にフラグをセットして（Ｓ５０９）、圧力損失演算部９からＤＣモータ２への通電を禁止する。次に圧損の差が１以下かどうかをチェックし（Ｓ５１０）、圧損の差が１以下であった場合（Ｓ５１０：Ｙｅｓ）、圧損は非常に安定しており変化の兆候も見られないため、圧損演算を再度行うまでの復帰条件回数を例えば３６０回にセットする（Ｓ５１１）。もし圧損の差が２であった場合は（Ｓ５１０：Ｎｏ）、圧損は安定しているものの変化が始まっている可能性が否定できないため、圧損演算を再度行うまでの復帰条件回数を半分の１８０回にセットする（Ｓ５１２）。そして通常の浴室換気装置の動作に移行し使用者により換気運転の指示があった場合、記憶手段１１に記憶した圧損値に応じたファン１の回転数となるよう、換気制御部８によりＤＣモータ２を制御する。その後、再び停電が発生した後（Ｓ５０１：Ｙｅｓ）、電力供給が開始されると（Ｓ５０２）、電力供給開始回数Ｎをカウントアップした後（Ｓ５０３）、制御部７は圧損演算＝否となっているため（Ｓ５０４：Ｎｏ）禁止部１０により圧力損失演算部９からＤＣモータ２への通電を禁止し、圧損演算処理は行わずに通常動作に移行するようになっている。
【０１８６】
次に図３５のフローチャートにおいて、まず禁止部１０による圧損演算要否の状態がどのようになっているかを圧損演算要否フラグにてチェックし（Ｓ６０１）、圧損演算＝要であれば（Ｓ６０１：Ｎｏ）そのまま通常の浴室換気装置の動作を継続する。もし圧損演算＝否であれば（Ｓ６０１：Ｙｅｓ）、続いて、商用電源１３の停電、もしくは商用電源１３と蓄電池１４との切り替り時に停電が発生していないかをチェックし（Ｓ６０２）、停電の発生がなければ（Ｓ６０２：Ｎｏ）、そのまま通常の浴室換気装置の動作を継続する。
【０１８７】
もし停電の発生があった場合（Ｓ６０２：Ｙｅｓ）、その後商用電源１３もしくは蓄電池１４からの電力供給が開始されると（Ｓ６０３）、制御部７は電力供給開始回数ｎをカウントアップし（Ｓ６０４）、続いて、電力供給開始回数ｎが図３４のフローチャートで設定した復帰条件回数（３６０回もしくは１８０回）未満かどうかをチェックする（Ｓ６０５）。もし電力供給開始回数ｎが復帰条件回数未満であれば（Ｓ６０５：Ｙｅｓ）、禁止部１０は圧損演算＝否にフラグをセットして（Ｓ６０６）、圧力損失演算部９からＤＣモータ２への通電禁止を継続する。また電力供給開始回数ｎが復帰条件回数以上であった場合（Ｓ６０５：Ｎｏ）、禁止部１０は圧損演算＝要にフラグをセットして（Ｓ６０７）、圧力損失演算部９からＤＣモータ２への通電を行えるようにし、電力供給開始回数ｎを０にクリアする（Ｓ６０８）。
【０１８８】
以上のフローチャートに従って制御された場合の、浴室換気装置の圧損演算動作の具体例について図３６Ａ、図３６Ｂおよび図３６Ｃのタイミングチャートを用いて説明する。
【０１８９】
図３６Ａのタイミングチャートにおいて、まず商用電源１３が投入される等により電力供給が開始されると、ファン１を第二回転数として例えば１５００ｒｐｍの回転数で駆動し圧損演算を行い、圧損が０〜２５５段階の１００であったとする。続いて、使用者により換気運転が指示されると、第一回転数として圧損値１００に応じた回転数（例えば８００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１００であったとする。このように停電、電力供給開始を繰り返し、電力供給が開始されたときに圧損を演算した結果、４回目が１０１、５回目が１００であったとすると、４回目の圧損値と５回目の圧損値との差が１（≦２）であり、圧損が安定しているため、次回以降の停電後の電力供給開始時に圧損演算が行われなくなり、そこから電力供給開始回数のカウントアップが始まる。また、４回目と５回目との圧損値の差が１（≦１）であるため、圧損の演算を再度実施するまでの復帰条件回数は３６０回となる。
【０１９０】
以降、停電が発生し、電力供給開始が発生しても、圧損演算は行われず、電力供給開始回数が２、３、・・・３５９とカウントアップされていき、圧損演算が行われなくなってから３６０回目の停電、電力供給開始が発生したところで、圧損演算＝要となる。そして次の停電が発生し電力供給が開始されると、ファン１を１５００ｒｐｍの回転数で駆動し、圧損演算が行われる。そして、再び圧損演算を５回行い、圧損演算＝否という条件が成立するまで、停電後の電力供給開始時に圧損演算が行われるようになる。
【０１９１】
また図３６Ｂのタイミングチャートでは、同様に電力供給が開始されると、ファン１を第二回転数として例えば１５００ｒｐｍの回転数で駆動し圧損演算を行い、圧損が０〜２５５段階の１００であったとする。続いて、使用者により換気運転が指示されると、第一回転数として圧損値１００に応じた回転数（例えば８００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１００であったとする。このように停電、電力供給開始を繰り返し、電力供給が開始されたときに圧損を演算した結果、４回目が１００、５回目が１０２であったとすると、４回目の圧損値と５回目の圧損値との差が２（≦２）であり、圧損は安定しているため、次回以降の圧損演算は行われなくなり、そこから電力供給開始回数のカウントアップが始まる。また４回目と５回目との圧損の差が２（＞１）であるため、圧損の演算を再度実施するまでの復帰条件回数は１８０回となる。
【０１９２】
以降、停電が発生し、電力供給開始が発生しても、圧損演算は行われず、電力供給開始回数が２、３、・・・１７９とカウントアップされていき、圧損演算が行われなくなってから１８０回目の停電、電力供給開始が発生したところで、圧損演算＝要となる。そして次の停電が発生し電力供給が開始されると、ファン１を１５００ｒｐｍの回転数で駆動し、圧損演算が行われる。そして、再び圧損演算を５回行い、圧損演算＝否という条件が成立するまで、停電後の電力供給開始時に圧損演算が行われるようになる。
【０１９３】
また図３６Ｃのタイミングチャートでは、同様に電力供給が開始されると、ファン１を第二回転数として例えば１５００ｒｐｍの回転数で駆動し圧損演算を行い、圧損が０〜２５５段階の１００であったとする。続いて、使用者により換気運転が指示されると、第一回転数として圧損値１００に応じた回転数（例えば８００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１０１であったとする。このように停電、電力供給開始を繰り返し、電力供給が開始されたときに圧損を演算した結果、４回目が１０２、５回目が１０５であったとすると、４回目の圧損値と５回目の圧損値との差が３（＞２）となり、圧損が変化しているため次回以降の圧損演算は要となる。その結果６回目と７回目の電力供給開始時にも圧損演算は行われる。
【０１９４】
このようにして、圧力損失の変化が始まっているかどうかを推定し、圧力損失の変化の兆候がなければ、圧力損失の演算を再度実施するまでの期間を長くして、不要な圧力損失の測定を防ぐことができる。また、圧力損失の変化の兆候が見られれば、圧力損失の演算を再度実施するまでの期間を短くすることで、一時的に正しくない圧力損失を基に換気運転を行っている期間を短くすることが可能となる。
【０１９５】
＜第１７実施形態＞
次に、浴室換気装置の圧力損失演算の要否を判定する第１７実施形態について図３７および図３８のフローチャートを用いて説明する。
【０１９６】
第１７実施形態は、圧力損失の差の大きさによって、圧力損失演算を行わなくなってから再度圧力損失の演算を行うようになるまでの通電時間を可変させる点で、第１実施形態〜第１６実施形態と異なる。
【０１９７】
図３７のフローチャートにおいて、まず停電が起こらず商用電源１３もしくは蓄電池１４からの電力供給が継続していれば（Ｓ５２１：Ｎｏ）何も行わず通常動作を継続する。また商用電源１３の停電、もしくは商用電源１３と蓄電池１４との切り替り時に停電が発生して（Ｓ５２１：Ｙｅｓ）、その後商用電源１３もしくは蓄電池１４からの電力供給が開始されると（Ｓ５２２）、制御部７は電力供給開始回数Ｎをカウントアップする（Ｓ５２３）。そして圧損演算の要否を、後述するステップＳ５２９またはＳ５３３でセットする圧損演算要否フラグにて確認し（Ｓ５２４）、圧損演算が要であれば（Ｓ５２４：Ｙｅｓ）、圧力損失演算部９によりファン１の回転数が例えば１５００ｒｐｍとなるようＤＣモータ２へ通電を行い、そのときのＤＣモータ２の通電電力とファン１の回転数より圧損値（例えば０〜２５５段階のレベル）を演算し（Ｓ５２５）、記憶手段１１に最新の圧損値を記憶する。続いて、電力供給開始回数Ｎが例えば５以上（Ｎ≧５）となったかをチェックし（Ｓ５２６）、５回未満であれば（Ｓ５２６：Ｎｏ）、禁止部１０は圧損演算＝要にフラグをセットして（Ｓ５３３）、圧力損失演算部９からＤＣモータ２への通電を行えるようにする。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【０１９８】
以上の動作を繰り返しながら圧損演算を５回行い、電力供給開始回数Ｎが５回になったら（Ｓ５２６：Ｙｅｓ）、最新の５回目（Ｎ回目）の圧損値と、前回の４回目（Ｎ−１回目）の圧損値との差の絶対値、すなわち圧損の差を求める（Ｓ５２７）。もし圧損の差が２を超えていれば（Ｓ５２８：Ｎｏ）、圧損が変化しているため、次回の電力供給開始時にも圧損を演算する必要があるので、禁止部１０は圧損演算＝要にフラグをセットして（Ｓ５３３）、圧力損失演算部９からＤＣモータ２への通電を行えるようにする。そして通常の浴室換気装置の動作に移行し、使用者により換気運転の指示があった場合、記憶手段１１に記憶した圧損値に応じたファン１の回転数（例えば８００ｒｐｍ）となるよう、換気制御部８によりＤＣモータ２への通電を制御する。
【０１９９】
もし５回目の圧損と、４回目の圧損との差の絶対値（圧損の差）が２以下であれば（Ｓ５２８：Ｙｅｓ）、圧損が安定しているため次回の停電後の電力供給開始時には圧損を演算する必要がないので、禁止部１０は圧損演算＝否にフラグをセットして（Ｓ５２９）、圧力損失演算部９からＤＣモータ２への通電を禁止する。次に圧損の差が１以下かどうかをチェックし（Ｓ５３０）、圧損の差が１以下であった場合（Ｓ５３０：Ｙｅｓ）、圧損は非常に安定しており変化の兆候も見られないため、圧損演算を再度行うまでの復帰条件時間を例えば４０００時間にセットする（Ｓ５３１）。もし圧損の差が２であった場合は（Ｓ５３０：Ｎｏ）、圧損は安定しているものの変化が始まっている可能性が否定できないため、圧損演算を再度行うまでの復帰条件時間を半分の２０００時間にセットする（Ｓ５３２）。そして通常の浴室換気装置の動作に移行し使用者により換気運転の指示があった場合、記憶手段１１に記憶した圧損値に応じたファン１の回転数となるよう、換気制御部８によりＤＣモータ２を制御する。その後、再び停電が発生した後（Ｓ５２１：Ｙｅｓ）、電力供給が開始されると（Ｓ５２２）、電力供給開始回数Ｎをカウントアップした後（Ｓ５２３）、制御部７は圧損演算＝否となっているため（Ｓ５２４：Ｎｏ）禁止部１０により圧力損失演算部９からＤＣモータ２への通電を禁止し、圧損演算処理は行わずに通常動作に移行するようになっている。
【０２００】
次に図３８のフローチャートにおいて、まず禁止部１０による圧損演算要否の状態がどのようになっているかを圧損演算要否フラグにてチェックし（Ｓ６２１）、圧損演算＝要であれば（Ｓ６２１：Ｎｏ）そのまま通常の浴室換気装置の動作を継続する。もし圧損演算＝否であれば（Ｓ６２１：Ｙｅｓ）、続いて、電力供給開始回数Ｎを０にリセットし（Ｓ６２２）、通電時間が復帰条件時間（４０００時間もしくは２０００時間）以上となったかどうかをチェックする（Ｓ６２３）。もし通電時間が復帰条件時間未満であれば（Ｓ６２３：Ｎｏ）、通電時間をカウントアップし（Ｓ６２４）、禁止部１０は圧損演算＝否にフラグをセットして（Ｓ６２５）、圧力損失演算部９からＤＣモータ２への通電を禁止する。また通電時間が復帰条件時間以上であった場合は（Ｓ６２３：Ｙｅｓ）、禁止部１０は圧損演算＝要にフラグをセットして（Ｓ６２６）、圧力損失演算部９からＤＣモータ２への通電を行えるようにし、通電時間を０時間にクリアする（Ｓ６２７）。
【０２０１】
以上のフローチャートに従って制御された場合の、浴室換気装置の圧損演算動作の具体例について図３９Ａ、図３９Ｂおよび図３９Ｃのタイミングチャートを用いて説明する。
【０２０２】
図３９Ａのタイミングチャートにおいて、まず商用電源１３が投入される等により電力供給が開始されると、ファン１を第二回転数として例えば１５００ｒｐｍの回転数で駆動し圧損演算を行い、圧損が０〜２５５段階の１００であったとする。続いて、使用者により換気運転が指示されると、第一回転数として圧損値１００に応じた回転数（例えば８００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１００であったとする。このように停電、電力供給開始を繰り返し、電力供給が開始されたときに圧損を演算した結果、４回目が１０１、５回目が１００であったとすると、４回目の圧損値と５回目の圧損値との差が１（≦２）であり、圧損が安定しているため、次回以降の圧損演算が行われなくなり、そこから通電時間のカウントアップが始まる。また、４回目と５回目との圧損値の差が１（≦１）であるため、圧損の演算を再度実施するまでの復帰条件時間は４０００時間となる。
【０２０３】
以降、使用者の指示により換気運転を行いながら動作を継続し、停電、電力供給の開始があっても、圧損演算は行われないことになる。そして電力供給されている間、通電時間がカウントアップされていき、通電時間が４０００時間になる。そして通電時間が４０００時間以上となってから、最初の停電が発生し電力供給が開始されると、ファン１を１５００ｒｐｍの回転数で駆動し、圧損演算が行われる。そして、再び圧損演算を５回行い、圧損演算＝否という条件が成立するまで、停電後の電力供給開始時に圧損演算が行われるようになる。
【０２０４】
また図３９Ｂのタイミングチャートでは、同様に電力供給が開始されると、ファン１を第二回転数として例えば１５００ｒｐｍの回転数で駆動し圧損演算を行い、圧損が０〜２５５段階の１００であったとする。続いて、使用者により換気運転が指示されると、第一回転数として圧損値１００に応じた回転数（例えば８００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１００であったとする。このように停電、電力供給開始を繰り返し、電力供給が開始されたときに圧損を演算した結果、４回目が１００、５回目が１０２であったとすると、４回目の圧損値と５回目の圧損値との差が２（≦２）であり、圧損は安定しているため、次回以降の圧損演算は行われなくなり、そこから通電時間のカウントアップが始まる。また４回目と５回目との圧損の差が２（＞１）であるため、圧損の演算を再度実施するまでの復帰条件時間は２０００時間となる。
【０２０５】
以降、使用者の指示により換気運転を行いながら動作を継続し、停電、電力供給の開始があっても、圧損演算は行われないことになる。そして電力供給されている間、通電時間がカウントアップされていき、通電時間が２０００時間になる。そして通電時間が２０００時間以上となってから、最初の停電が発生し電力供給が開始されると、ファン１を１５００ｒｐｍの回転数で駆動し、圧損演算が行われる。そして、再び圧損演算を５回行い、圧損演算＝否という条件が成立するまで、停電後の電力供給開始時に圧損演算が行われるようになる。
【０２０６】
また図３９Ｃのタイミングチャートでは、同様に電力供給が開始されると、ファン１を第二回転数として例えば１５００ｒｐｍの回転数で駆動し圧損演算を行い、圧損が０〜２５５段階の１００であったとする。続いて、使用者により換気運転が指示されると、第一回転数として圧損値１００に応じた回転数（例えば８００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１０１であったとする。このように停電、電力供給開始を繰り返し、電力供給が開始されたときに圧損を演算した結果、４回目が１０２、５回目が１０５であったとすると、４回目の圧損値と５回目の圧損値との差が３（＞２）となり、圧損が変化しているため次回以降の圧損演算は要となる。その結果６回目と７回目の電力供給開始時にも圧損演算は行われる。
【０２０７】
このようにして、圧力損失の変化が始まっているかどうかを推定し、圧力損失の変化の兆候がなければ、圧力損失の演算を再度実施するまでの期間を長くして、不要な圧力損失の測定を防ぐことができる。また圧力損失の変化の兆候が見られれば、圧力損失の演算を再度実施するまでの期間を短くすることで、一時的に正しくない圧力損失を基に換気運転を行っている期間を短くすることが可能となる。
【０２０８】
＜第１８実施形態＞
次に、浴室換気装置の圧力損失演算の要否を判定する第１８実施形態について図４０のフローチャートを用いて説明する。
【０２０９】
第１８実施形態は、圧力損失の差の大きさによって、圧力損失演算を行わなくなってから再度圧力損失の演算を行うようになるまでの換気運転時間を可変させる点で、第１実施形態〜第１７実施形態と異なる。
【０２１０】
まず図３７のフローチャートにより復帰条件時間を設定する。そして図４０のフローチャートにおいて、最初に禁止部１０による圧損演算要否の状態がどのようになっているかを圧損演算要否フラグにてチェックし（Ｓ６４１）、圧損演算＝要であれば（Ｓ６４１：Ｎｏ）、そのまま通常の浴室換気装置の動作を継続する。もし圧損演算＝否であれば（Ｓ６４１：Ｙｅｓ）、続いて、電力供給開始回数Ｎ＝０にリセットし（Ｓ６４２）、次に換気運転中かどうかのチェックを行い（Ｓ６４３）、換気運転中でなければ（Ｓ６４３：Ｎｏ）、同様にそのまま通常の浴室換気装置の動作を継続する。
【０２１１】
換気運転中であった場合（Ｓ６４３：Ｙｅｓ）、換気運転時間が復帰条件時間（４０００時間もしくは２０００時間）以上となったかどうかをチェックする（Ｓ６４４）。もし復帰条件時間未満であれば（Ｓ６４４：Ｎｏ）換気運転時間のカウントアップを行い（Ｓ６４５）、禁止部１０は圧損演算＝否にフラグをセットして（Ｓ６４６）、圧力損失演算部９からＤＣモータ２への通電を禁止し、そのまま通常の浴室換気装置の動作を継続する。もし通電時間が復帰条件時間以上であった場合は（Ｓ６４４：Ｙｅｓ）、禁止部１０は圧損演算＝要にフラグをセットして（Ｓ６４７）、圧力損失演算部９からＤＣモータ２への通電を行えるようにし、換気運転時間を０時間にクリアする（Ｓ６４８）。
【０２１２】
以上のフローチャートに従って制御された場合の、浴室換気装置の圧損演算動作の具体例について図４１Ａ、図４１Ｂおよび図４１Ｃのタイミングチャートを用いて説明する。
【０２１３】
図４１Ａのタイミングチャートにおいて、まず商用電源１３が投入される等により電力供給が開始されると、ファン１を第二回転数として例えば１５００ｒｐｍの回転数で駆動し圧損演算を行い、圧損が０〜２５５段階の１００であったとする。続いて、使用者により換気運転が指示されると、第一回転数として圧損値１００に応じた回転数（例えば８００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１００であったとする。このように停電、電力供給開始を繰り返し、電力供給が開始されたときに圧損を演算した結果、４回目が１０１、５回目が１００であったとすると、４回目の圧損値と５回目の圧損値との差が１（≦２）であり、圧損が安定しているため、次回以降の圧損演算が行われなくなる。また、４回目と５回目との圧損値の差が１（≦１）であるため、圧損の演算を再度実施するまでの復帰条件時間は４０００時間となる。
【０２１４】
以降、停電、電力供給の開始があっても、圧損演算は行われないことになる。そして使用者により換気運転が指示されると、直前に記憶した圧損値に応じたファン１の回転数（例えば８００ｒｐｍ）により換気運転が行われ、その換気運転が行われている間、換気運転時間がカウントアップされていき、ここでは２４時間換気運転により連続で２０００時間換気運転が継続される。そして使用者により一旦換気運転が停止され、再び使用者により２４時間換気運転が再開され、再開されてから１５００時間経過したところで、停電、電力供給の開始が発生する。しかしこの時点で換気運転時間は３５００時間（＜４０００時間）であるため、圧損演算を再び行う条件を満たしておらず、圧損演算＝否のままであるため、圧損演算は行われない。
【０２１５】
そして再び使用者により換気運転が指示されると、記憶している圧損値に応じたファン１の回転数（例えば８００ｒｐｍ）により換気運転が行われ、今回の換気運転が５００時間に到達すると、換気運転時間が合計で４０００時間となり、その時点で圧損演算＝要となり、換気運転時間は０にクリアされる。そして圧損演算＝要となってから最初の停電が発生し電力供給が開始されると、ファン１を１５００ｒｐｍの回転数で駆動し、再び圧損演算が行われる。そして再び圧損演算を５回行い、圧損演算＝否という条件が成立するまで、停電後の電力供給開始時に圧損演算が行われるようになる。
【０２１６】
また図４１Ｂのタイミングチャートでは、同様に電力供給が開始されると、ファン１を第二回転数として例えば１５００ｒｐｍの回転数で駆動し圧損演算を行い、圧損が０〜２５５段階の１００であったとする。続いて、使用者により換気運転が指示されると、第一回転数として圧損値１００に応じた回転数（例えば８００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１００であったとする。このように停電、電力供給開始を繰り返し、電力供給が開始されたときに圧損を演算した結果、４回目が１００、５回目が１０２であったとすると、４回目の圧損値と５回目の圧損値との差が２（≦２）であり、圧損は安定しているため、次回以降の圧損演算は行われなくなる。また４回目と５回目との圧損の差が２（＞１）であるため、圧損の演算を再度実施するまでの復帰条件時間は２０００時間となる。
【０２１７】
以降、停電、電力供給の開始があっても、圧損演算は行われないことになる。そして使用者により換気運転が指示されると、直前に記憶した圧損値に応じたファン１の回転数（例えば８００ｒｐｍ）により換気運転が行われ、その換気運転が行われている間、換気運転時間がカウントアップされていき、ここでは２４時間換気運転により連続で５００時間換気運転が継続される。そして使用者により一旦換気運転が停止され、再び使用者により２４時間換気運転が再開され、再開されてから１２００時間経過したところで、停電、電力供給の開始が発生する。しかしこの時点で換気運転時間は１７００時間（＜２０００時間）であるため、圧損演算を再び行う条件を満たしておらず、圧損演算＝否のままであるため、圧損演算は行われない。
【０２１８】
そして再び使用者により換気運転が指示されると、記憶している圧損値に応じたファン１の回転数（例えば８００ｒｐｍ）により換気運転が行われ、今回の換気運転が３００時間に到達すると、換気運転時間が合計で２０００時間となり、その時点で圧損演算＝要となり、換気運転時間は０にクリアされる。そして圧損演算＝要となってから最初の停電が発生し電力供給が開始されると、ファン１を１５００ｒｐｍの回転数で駆動し、再び圧損演算が行われる。そして再び圧損演算を５回行い、圧損演算＝否という条件が成立するまで、停電後の電力供給開始時に圧損演算が行われるようになる。
【０２１９】
また図４１Ｃのタイミングチャートでは、同様に電力供給が開始されると、ファン１を第二回転数として例えば１５００ｒｐｍの回転数で駆動し圧損演算を行い、圧損が０〜２５５段階の１００であったとする。続いて、使用者により換気運転が指示されると、第一回転数として圧損値１００に応じた回転数（例えば８００ｒｐｍ）でファン１を駆動し、換気運転が行われる。その換気運転中に停電が発生し、再度電力供給が開始され、再びファン１を１５００ｒｐｍの回転数で駆動し圧損演算を行った結果が１０１であったとする。このように停電、電力供給開始を繰り返し、電力供給が開始されたときに圧損を演算した結果、４回目が１０２、５回目が１０５であったとすると、４回目の圧損値と５回目の圧損値との差が３（＞２）となり、圧損が変化しているため次回以降の圧損演算は要となる。その結果６回目と７回目の電力供給開始時にも圧損演算は行われる。
【０２２０】
このようにして、圧力損失の変化が始まっているかどうかを推定し、圧力損失の変化が始まっていなければ、圧力損失の演算を再度実施するまでの期間を長くして、不要な圧力損失の測定を防ぐことができる。また、圧力損失の変化が始まっていれば、圧力損失の演算を再度実施するまでの期間を短くすることで、一時的に正しくない圧力損失を基に換気運転を行っている期間を短くすることが可能となる。
【０２２１】
＜変形例＞
以上、本願の開示する技術の実施形態について説明したが、本願の開示する技術は、上記に限定されるものではなく、また、前述した各実施の形態が備える各要素は、技術的に可能な限りにおいて組み合わせることができ、これらを組み合わせたものも本発明の特徴を含む限り本発明の範囲に包含される。
【符号の説明】
【０２２２】
１…ファン
２…ＤＣモータ
３…浴室
４…排気路
５…モータ駆動部
６…回転数検出部
７…制御部
８…換気制御部
９…圧力損失演算部
１０…禁止部
１１…記憶手段
１２…電源部
１３…商用電源
１４…蓄電池
１５…停電検出部
１６…停電間隔計時部
１７…換気動作回数計数部
１８…通電時間計時部
１００，１１０，１２０，１３０…浴室換気装置
【図１】
0006432878.tif 000002
【図２】
0006432878.tif 000003
【図３Ａ】
0006432878.tif 000004
【図３Ｂ】
0006432878.tif 000005
【図４】
0006432878.tif 000006
【図５Ａ】
0006432878.tif 000007
【図５Ｂ】
0006432878.tif 000008
【図６】
0006432878.tif 000009
【図７Ａ】
0006432878.tif 000010
【図７Ｂ】
0006432878.tif 000011
【図８】
0006432878.tif 000012
【図９】
0006432878.tif 000013
【図１０】
0006432878.tif 000014
【図１１】
0006432878.tif 000015
【図１２】
0006432878.tif 000016
【図１３】
0006432878.tif 000017
【図１４】
0006432878.tif 000018
【図１５】
0006432878.tif 000019
【図１６】
0006432878.tif 000020
【図１７】
0006432878.tif 000021
【図１８】
0006432878.tif 000022
【図１９】
0006432878.tif 000023
【図２０】
0006432878.tif 000024
【図２１】
0006432878.tif 000025
【図２２】
0006432878.tif 000026
【図２３】
0006432878.tif 000027
【図２４】
0006432878.tif 000028
【図２５】
0006432878.tif 000029
【図２６】
0006432878.tif 000030
【図２７】
0006432878.tif 000031
【図２８】
0006432878.tif 000032
【図２９】
0006432878.tif 000033
【図３０】
0006432878.tif 000034
【図３１】
0006432878.tif 000035
【図３２】
0006432878.tif 000036
【図３３】
0006432878.tif 000037
【図３４】
0006432878.tif 000038
【図３５】
0006432878.tif 000039
【図３６Ａ】
0006432878.tif 000040
【図３６Ｂ】
0006432878.tif 000041
【図３６Ｃ】
0006432878.tif 000042
【図３７】
0006432878.tif 000043
【図３８】
0006432878.tif 000044
【図３９Ａ】
0006432878.tif 000045
【図３９Ｂ】
0006432878.tif 000046
【図３９Ｃ】
0006432878.tif 000047
【図４０】
0006432878.tif 000048
【図４１Ａ】
0006432878.tif 000049
【図４１Ｂ】
0006432878.tif 000050
【図４１Ｃ】
0006432878.tif 000051